(57)【要約】  端末のデータ受信成功率を高めるためのリソース指示方法および装置が提供される。この方法は、端末により、基地局から第1の指示情報を受信するステップであって、第1の指示情報は、ダウンリンクデータ送信用のリソース構成を指示するために使用され、リソース構成は、タイムスケジューリングユニットアグリゲーションレベルおよび単一のタイムスケジューリングユニットにおける時間領域位置を含み、アグリゲーションレベルは、ダウンリンクデータ送信用のリソースに含まれるタイムスケジューリングユニットの量を表す、ステップと、端末により、単一のタイムスケジューリングユニットにおける時間領域リソースが、その量がアグリゲーションレベルによって表される1つまたは複数のタイムスケジューリングユニットの各タイムスケジューリングユニットに対して有効であると判定し、それに応じてダウンリンクデータ送信を受信するステップとを含む。
2020519168.tif 000002
【特許請求の範囲】
【請求項１】
通信方法であって、
基地局から第1の指示情報を受信するステップであって、前記第1の指示情報は、データ送信用のリソース構成を指示するために使用され、前記リソース構成は、単一のタイムスケジューリングユニットにおける時間領域位置を含む、ステップと、
前記第1の指示情報に基づいてデータを送信または受信するステップであって、前記単一のタイムスケジューリングユニットにおける、前記第1の指示情報によって示される前記時間領域位置は、その量がアグリゲーションレベルによって表される1つまたは複数のタイムスケジューリングユニットの各タイムスケジューリングユニットに対して有効である、ステップと
を含む方法。
【請求項２】
通信方法であって、
第1の指示情報を端末に送信するステップであって、前記第1の指示情報は、データ送信用のリソース構成を指示するために使用され、前記リソース構成は、単一のタイムスケジューリングユニットにおける時間領域位置を含む、ステップと、
データを送信または受信するステップであって、その量がアグリゲーションレベルによって表される1つまたは複数のタイムスケジューリングユニットの各タイムスケジューリングユニットにおける前記データ送信に使用される時間領域位置は、前記単一のタイムスケジューリングユニットにおける前記時間領域位置と同じである、ステップと
を含む方法。
【請求項３】
前記単一のタイムスケジューリングユニットにおける前記時間領域位置は、前記データ送信のために占有される前記時間領域位置の開始位置と、前記データ送信のために占有される指示ユニットの量とを含む、請求項1または2に記載の方法。
【請求項４】
前記アグリゲーションレベルの指示を受信するステップ
をさらに含む、請求項1または3に記載の方法。
【請求項５】
前記アグリゲーションレベルの指示を端末に送信するステップ
をさらに含む、請求項2または3に記載の方法。
【請求項６】
前記アグリゲーションレベルは、前記データ送信用のリソースに含まれるタイムスケジューリングユニットの量を表す、請求項1から5のいずれか一項に記載の方法。
【請求項７】
前記アグリゲーションレベルは、タイムスケジューリングユニットの前記量を示すことによって示される、請求項4から6のいずれか一項に記載の方法。
【請求項８】
前記時間領域位置の開始位置は、1つのタイムスケジューリングユニットにおける前記データの開始位置を示すために使用される、請求項1から7のいずれか一項に記載の方法。
【請求項９】
前記タイムスケジューリングユニットは、1つのスロットである、請求項1から8のいずれか一項に記載の方法。
【請求項１０】
前記指示ユニットは、1つのシンボルである、請求項3から9のいずれか一項に記載の方法。
【請求項１１】
前記データ送信は、ダウンリンクデータ送信またはアップリンクデータ送信である、請求項1から10のいずれか一項に記載の方法。
【請求項１２】
前記データ送信用のリソースは、2つ以上のタイムスケジューリングユニットを含む、請求項6から11のいずれか一項に記載の方法。
【請求項１３】
基地局から第1の指示情報を受信するように構成される受信機であって、前記第1の指示情報は、データ送信用のリソース構成を指示するために使用され、前記リソース構成は、単一のタイムスケジューリングユニットにおける時間領域位置を含む、受信機と、
前記第1の指示情報に基づいてデータを送信または受信するように構成されるプロセッサであって、前記単一のタイムスケジューリングユニットにおける、前記第1の指示情報によって示される前記時間領域位置は、その量がアグリゲーションレベルによって表される1つまたは複数のタイムスケジューリングユニットの各タイムスケジューリングユニットに対して有効である、プロセッサと
を含む、通信装置。
【請求項１４】
第1の指示情報を端末に送信するように構成される送信機であって、前記第1の指示情報は、データ送信用のリソース構成を指示するために使用され、前記リソース構成は、単一のタイムスケジューリングユニットにおける時間領域位置を含む、送信機と、
データを送信または受信するように構成されるプロセッサであって、その量がアグリゲーションレベルによって表される1つまたは複数のタイムスケジューリングユニットの各タイムスケジューリングユニットにおける前記データ送信に使用される時間領域位置は、前記単一のタイムスケジューリングユニットにおける前記時間領域位置と同じである、プロセッサと
を含む、通信装置。
【請求項１５】
リソース指示方法であって、
基地局から第1の指示情報を受信するステップであって、前記第1の指示情報は、ダウンリンクデータ送信用のリソース構成を指示するために使用され、前記リソース構成は、タイムスケジューリングユニットアグリゲーションレベルおよび単一のタイムスケジューリングユニットにおける時間領域位置を含み、前記アグリゲーションレベルは、前記ダウンリンクデータ送信用のリソースに含まれるタイムスケジューリングユニットの量を表す、ステップと、
前記単一のタイムスケジューリングユニットにおける時間領域リソースが、その量が前記アグリゲーションレベルによって表される1つまたは複数のタイムスケジューリングユニットの各タイムスケジューリングユニットに対して有効であると判定し、それに応じて前記ダウンリンクデータ送信を受信するステップと
を含む方法。
【請求項１６】
前記時間領域位置の指示ユニットは、複数の時間領域シンボルであり、前記時間領域シンボルは、前記ダウンリンクデータ送信用の最小時間領域送信ユニットである、請求項15に記載の方法。
【請求項１７】
前記基地局から第2の指示情報を受信するステップであって、前記第2の指示情報は、前記時間領域位置の前記指示ユニットに含まれる時間領域シンボルの量を指示するために使用される、ステップ
をさらに含む、請求項16に記載の方法。
【請求項１８】
前記第1の指示情報は、前記単一のタイムスケジューリングユニットおよび前記アグリゲーションレベルにおける前記時間領域位置の開始位置および時間領域終了位置に対してジョイント符号化を実行することによって得られる指示情報であるか、または、
前記第1の指示情報は、前記単一のタイムスケジューリングユニットおよび前記アグリゲーションレベルにおける前記時間領域位置の開始位置および占有された指示ユニットの量に対してジョイント符号化を実行することによって得られる指示情報である、請求項15から17のいずれか一項に記載の方法。
【請求項１９】
その量が前記アグリゲーションレベルによって表される1つまたは複数のタイムスケジューリングユニットに含まれる各タイムスケジューリングユニットのタイプを判定するステップと、
各タイムスケジューリングユニットの前記タイプに基づいて、各タイムスケジューリングユニットにおいて前記ダウンリンクデータの送信に使用され得る時間領域位置を判定し、前記第1の指示情報に基づいて、各タイムスケジューリングユニットにおいて前記ダウンリンクデータの送信のためにスケジュールされる時間領域位置を判定するステップと、
2つの判定された時間領域位置の交差セットが各タイムスケジューリングユニットにおいて前記ダウンリンクデータの送信に実際に使用される時間領域位置であると判定するステップと
をさらに含む、請求項15から18のいずれか一項に記載の方法。
【請求項２０】
前記単一のタイムスケジューリングユニットにおける前記時間領域位置に基づいて、前記ダウンリンクデータが時間領域で不連続であると判定した場合、マッピング中に、周波数領域マッピングが時間領域マッピングの前に前記ダウンリンクデータに対して実行されると判定するステップ
をさらに含む、請求項15から19のいずれか一項に記載の方法。
【請求項２１】
リソース指示方法であって、
第1の指示情報を端末に送信するステップであって、前記第1の指示情報は、ダウンリンクデータ送信用のリソース構成を指示するために使用され、前記リソース構成は、タイムスケジューリングユニットアグリゲーションレベルおよび単一のタイムスケジューリングユニットにおける時間領域位置を含み、前記アグリゲーションレベルは、前記ダウンリンクデータ送信用のリソースに含まれるタイムスケジューリングユニットの量を表す、ステップと、
前記単一のタイムスケジューリングユニットにおける時間領域リソースが、その量が前記アグリゲーションレベルによって表される1つまたは複数のタイムスケジューリングユニットの各タイムスケジューリングユニットに対して有効であると判定し、それに応じて前記ダウンリンクデータを送信するステップと
を含む方法。
【請求項２２】
前記時間領域位置の指示ユニットは、複数の時間領域シンボルであり、前記時間領域シンボルは、前記ダウンリンクデータ送信用の最小時間領域送信ユニットである、請求項21に記載の方法。
【請求項２３】
第2の指示情報を前記端末に送信するステップであって、前記第2の指示情報は、前記時間領域位置の前記指示ユニットに含まれる時間領域シンボルの量を指示するために使用される、ステップ
をさらに含む、請求項22に記載の方法。
【請求項２４】
前記第1の指示情報を取得するために、前記単一のタイムスケジューリングユニットおよび前記アグリゲーションレベルにおける前記時間領域位置の開始位置および時間領域終了位置に対してジョイント符号化を実行するステップ、または、
前記第1の指示情報を取得するために、前記単一のタイムスケジューリングユニットおよび前記アグリゲーションレベルにおける前記時間領域位置の開始位置および占有された指示ユニットの量に対してジョイント符号化を実行するステップ
をさらに含む、請求項21から23のいずれか一項に記載の方法。
【請求項２５】
前記単一のタイムスケジューリングユニットにおける前記時間領域位置に基づいて、前記ダウンリンクデータが時間領域で不連続であると判定した場合、マッピング中に、周波数領域マッピングを、時間領域マッピングの前に前記ダウンリンクデータに対して実行すると判定するステップ
をさらに含む、請求項21から24のいずれか一項に記載の方法。
【請求項２６】
基地局から第1の指示情報を受信するように構成される受信機であって、前記第1の指示情報は、ダウンリンクデータ送信用のリソース構成を指示するために使用され、前記リソース構成は、タイムスケジューリングユニットアグリゲーションレベルおよび単一のタイムスケジューリングユニットにおける時間領域位置を含み、前記アグリゲーションレベルは、前記ダウンリンクデータ送信用のリソースに含まれるタイムスケジューリングユニットの量を表す、受信機と、
前記単一のタイムスケジューリングユニットにおける時間領域リソースが、その量が前記アグリゲーションレベルによって表される1つまたは複数のタイムスケジューリングユニットの各タイムスケジューリングユニットに対して有効であると判定し、それに応じて前記受信機を使用することによって、前記ダウンリンクデータ送信を受信するように構成されるプロセッサと
を含む、通信装置。
【請求項２７】
前記時間領域位置の指示ユニットは、複数の時間領域シンボルであり、前記時間領域シンボルは、前記ダウンリンクデータ送信用の最小時間領域送信ユニットである、請求項26に記載の通信装置。
【請求項２８】
前記受信機は、前記基地局から第2の指示情報を受信し、前記第2の指示情報は、前記時間領域位置の前記指示ユニットに含まれる時間領域シンボルの量を指示するために使用される、ようにさらに構成される、請求項27に記載の通信装置。
【請求項２９】
前記第1の指示情報は、前記単一のタイムスケジューリングユニットおよび前記アグリゲーションレベルにおける前記時間領域位置の開始位置および時間領域終了位置に対してジョイント符号化を実行することによって得られる指示情報であるか、または、
前記第1の指示情報は、前記単一のタイムスケジューリングユニットおよび前記アグリゲーションレベルにおける前記時間領域位置の開始位置および占有された指示ユニットの量に対してジョイント符号化を実行することによって得られる指示情報である、請求項26から28のいずれか一項に記載の通信装置。
【請求項３０】
前記プロセッサは、
その量が前記アグリゲーションレベルによって表される1つまたは複数のタイムスケジューリングユニットに含まれる各タイムスケジューリングユニットのタイプを判定し、
各タイムスケジューリングユニットの前記タイプに基づいて、各タイムスケジューリングユニットにおいて前記ダウンリンクデータの送信に使用され得る時間領域位置を判定し、前記第1の指示情報に基づいて、各タイムスケジューリングユニットにおいて前記ダウンリンクデータの送信のためにスケジュールされる時間領域位置を判定し、
2つの判定された時間領域位置の交差セットが各タイムスケジューリングユニットにおいて前記ダウンリンクデータの送信に実際に使用される時間領域位置であると判定する
ようにさらに構成される、請求項26から29のいずれか一項に記載の通信装置。
【請求項３１】
前記プロセッサは、
前記単一のタイムスケジューリングユニットにおける前記時間領域位置に基づいて、前記ダウンリンクデータが時間領域で不連続であると判定した場合、マッピング中に、周波数領域マッピングが時間領域マッピングの前に前記ダウンリンクデータに対して実行されると判定するようにさらに構成される、請求項26から30のいずれか一項に記載の通信装置。
【請求項３２】
第1の指示情報を端末に送信するように構成される送信機であって、前記第1の指示情報は、ダウンリンクデータ送信用のリソース構成を指示するために使用され、前記リソース構成は、タイムスケジューリングユニットアグリゲーションレベルおよび単一のタイムスケジューリングユニットにおける時間領域位置を含み、前記アグリゲーションレベルは、前記ダウンリンクデータ送信用のリソースに含まれるタイムスケジューリングユニットの量を表す、送信機と、
前記単一のタイムスケジューリングユニットにおける時間領域リソースが、その量が前記アグリゲーションレベルによって表される1つまたは複数のタイムスケジューリングユニットの各タイムスケジューリングユニットに対して有効であると判定し、それに応じて前記送信機を使用することによって、前記ダウンリンクデータを送信するように構成されるプロセッサと
を含む、通信装置。
【請求項３３】
前記時間領域位置の指示ユニットは、複数の時間領域シンボルであり、前記時間領域シンボルは、前記ダウンリンクデータ送信用の最小時間領域送信ユニットである、請求項32に記載の通信装置。
【請求項３４】
前記送信機は、第2の指示情報を前記端末に送信し、前記第2の指示情報は、前記時間領域位置の前記指示ユニットに含まれる時間領域シンボルの量を指示するために使用される、ようにさらに構成される、請求項33に記載の通信装置。
【請求項３５】
前記プロセッサは、
前記第1の指示情報を取得するために、前記単一のタイムスケジューリングユニットおよび前記アグリゲーションレベルにおける前記時間領域位置の開始位置および時間領域終了位置に対してジョイント符号化を実行するか、または、
前記第1の指示情報を取得するために、前記単一のタイムスケジューリングユニットおよび前記アグリゲーションレベルにおける前記時間領域位置の開始位置および占有された指示ユニットの量に対してジョイント符号化を実行する
ようにさらに構成される、請求項32から34のいずれか一項に記載の通信装置。
【請求項３６】
前記プロセッサは、
前記単一のタイムスケジューリングユニットにおける前記時間領域位置に基づいて、前記ダウンリンクデータが時間領域で不連続であると判定した場合、マッピング中に、周波数領域マッピングを、時間領域マッピングの前に前記ダウンリンクデータに対して実行すると判定するようにさらに構成される、請求項32から35のいずれか一項に記載の通信装置。
【請求項３７】
通信装置であって、
メモリ、通信インタフェース、およびプロセッサを備え、
前記メモリは、コンピュータ実行可能プログラムコードを格納するように構成され、
前記プロセッサは、前記メモリおよび前記通信インタフェースに接続され、
前記メモリに格納された前記プログラムコードは命令を含み、前記プロセッサが前記命令を実行すると、前記命令は前記通信装置に請求項1から12または請求項18から28のいずれか一項に記載の方法を実行させる、通信装置。
【請求項３８】
コンピュータ可読記憶媒体であって、前記媒体は命令を格納し、前記命令がコンピュータ上で実行されると、前記コンピュータは請求項1から12、請求項18から23、または請求項24から28のいずれか一項に記載の方法を実行する、コンピュータ可読記憶媒体。
【請求項３９】
コンピュータプログラムであって、前記コンピュータプログラムは命令を含み、前記命令がコンピュータ上で実行されると、前記コンピュータは請求項1から12、請求項18から23、または請求項24から28のいずれか一項に記載の方法を実行する、コンピュータプログラム。
【発明の詳細な説明】
【技術分野】
【０００１】
本願は、2017年5月4日に中国特許庁に提出された「RESOURCE INDICATION METHOD AND APPARATUS」という名称の中国特許出願第201710309345.9号に基づく優先権を主張し、その全体が参照により本明細書に組み込まれる。
【０００２】
本発明の実施形態は、通信技術の分野に関し、特に、リソース指示方法および装置に関する。
【背景技術】
【０００３】
図1を参照すると、ロングタームエボリューション（Long Term Evolution、LTE）システムでは、物理ダウンリンク制御チャネル（Physical Downlink Control Channel、PDCCH）が周波数領域で帯域幅全体を占有し、時間領域のサブフレーム内の最初の1〜4個のシンボルを占有してもよく、物理ダウンリンク共有チャネル（Physical Downlink Sharing Channel、PDSCH）は、時間領域でPDCCHによって占有されたシンボルの後の次のシンボルを占有する。図1では、サブフレームがスケジューリングユニットとして使用されている。
【０００４】
LTEシステムでは、端末は、PDCCHによって占有されるシンボルの物理制御フォーマットインジケータチャネル（Physical Control Format Indicator Channel、PCFICH）で示される量に基づいて、PDSCHの開始シンボルの位置を知ることができ、PDSCHの終了シンボルは、デフォルトでサブフレームの最後のシンボルと見なされる。
【０００５】
ただし、第5世代モバイル通信技術（5G）のニューラジオ（New Radio、NR）システムでは、ダウンリンク制御チャネルがいくつかの周波数領域リソース（Bandwidth part、BP）で送信され、ダウンリンク制御によって占有される時間領域シンボルはまた、動的に変化する。したがって、NRシステムでは、ダウンリンクデータチャネルの時間領域位置の開始位置は最初のシンボルであり、ダウンリンクデータチャネルの時間領域終了シンボルは不必要な最後のシンボルであり得る。言い換えれば、NRシステムでは、ダウンリンクデータチャネルに対する複数の可能な時間領域リソース位置が存在する。この場合、端末は、LTEに適用される方法に従って、ダウンリンクデータチャネルによって占有される時間領域リソース位置を判定できず、その結果、正しい位置でデータを受信できない。
【発明の概要】
【課題を解決するための手段】
【０００６】
本発明の実施形態は、端末のデータ受信性能を改善するためのリソース指示方法および装置を提供する。
【０００７】
第1の態様によれば、リソース指示方法が提供され、この方法は端末によって実行され得る。この方法は、端末により、基地局から第1の指示情報を受信するステップであって、第1の指示情報は、ダウンリンクデータ送信用のリソース構成を指示するために使用され、リソース構成は、タイムスケジューリングユニットアグリゲーションレベルおよび単一のタイムスケジューリングユニットにおける時間領域位置を含み、アグリゲーションレベルは、ダウンリンクデータ送信用のリソースに含まれるタイムスケジューリングユニットの量を表す、ステップと、端末により、単一のタイムスケジューリングユニットにおける時間領域リソースが、その量がアグリゲーションレベルによって表される1つまたは複数のタイムスケジューリングユニットの各タイムスケジューリングユニットに対して有効であると判定し、それに応じてダウンリンクデータ送信を受信するステップとを含む。
【０００８】
本発明の本実施形態では、端末は、基地局から第1の指示情報を受信することができる。第1の指示情報は、ダウンリンクデータ送信用のリソース構成を示してもよく、リソース構成は、単一のタイムスケジューリングユニットにおける時間領域位置を含み、単一のタイムスケジューリングユニットにおける時間領域リソースは、その量がアグリゲーションレベルによって表される1つまたは複数のタイムスケジューリングユニットの各タイムスケジューリングユニットに対して有効である。言い換えれば、第1の指示情報は、ダウンリンクデータによって占有される時間領域位置を指示する。したがって、端末は、端末がダウンリンクデータを受信する必要がある特定の時間領域位置を判定できる。これにより、データ受信の成功率が向上する。
【０００９】
さらに、第1の指示情報は、単一のタイムスケジューリングユニットにおける時間領域位置を指示し、単一のタイムスケジューリングユニットにおける時間領域リソースは、その量がアグリゲーションレベルによって表される1つまたは複数のタイムスケジューリングユニットの各タイムスケジューリングユニットに対して有効である。具体的には、その量がアグリゲーションレベルによって表される1つまたは複数のタイムスケジューリングユニットの各タイムスケジューリングユニットにおいてダウンリンクデータによって占有される時間領域位置は、すべてのタイムスケジューリングユニットにおいてダウンリンクデータによって占有される時間領域位置を個別に指示することなく、単一のタイムスケジューリングユニットにおける時間領域位置を使用して指示され、したがって、シグナリングオーバヘッドを効果的に削減する。
【００１０】
可能な設計では、時間領域位置の指示ユニットは複数の時間領域シンボルであり、時間領域シンボルはダウンリンクデータ送信用の最小時間領域送信ユニットである。
【００１１】
例えば、第1の指示情報で使用される指示ユニットの値は1であるが、指示ユニットは実際には2つのシンボルである。この場合、2つのシンボルは1つの指示ユニットを使用して指示される。第1の指示情報は、比較的低いオーバヘッドのみを使用することで、比較的大きな時間領域範囲を指示することができることが分かる。これにより、シグナリングオーバヘッドを効果的に削減できる。
【００１２】
可能な設計では、端末は、基地局から第2の指示情報をさらに受信することができ、第2の指示情報は、時間領域位置の指示ユニットに含まれる時間領域シンボルの量を指示するために使用される。
【００１３】
端末は、様々な方法を使用して、指示ユニットに含まれる時間領域シンボルの量を判定してもよい。
【００１４】
例えば、端末は、システムのデフォルト構成またはプロトコル仕様に従って指示ユニットを判定してもよい。システムのデフォルト構成またはプロトコル仕様は、様々な形式であってもよい。例えば、プロトコルは、指示ユニットによって参照されるフレーム構造パラメータを指定してもよく、フレーム構造パラメータは特定のサブキャリア間隔として理解されてもよい。あるいは、プロトコルは、指示ユニットに含まれるシンボルの量を直接指定してもよい。例えば、指示ユニットが2つのシンボルを含むことをプロトコルが指定する場合、端末は、ダウンリンクデータのフレーム構造パラメータに基づいて指示ユニットの長さを知っている。このようにして、基地局と端末との間の過度の対話なしに指示ユニットが判定され、それによりシグナリングオーバヘッドが削減される。あるいは、基地局は、シグナリングを使用することにより、指示ユニットの長さを端末に通知する。例えば、基地局は、第2の指示情報を端末に送信し、第2の指示情報は、指示ユニットに含まれるシンボルの量を端末に通知するために使用され、その後、端末は、第2の指示情報に基づいて指示ユニットの長さを知る。この方法は比較的単純で直接的である。第1の指示情報および第2の指示情報は、同じ指示情報であってもよいし、または1つのシグナリングに含まれる異なるフィールドであってもよいし、または異なるシグナリングを使用して送信される情報であってもよい。これは、本発明の本実施形態においては限定されない。
【００１５】
可能な設計では、第1の指示情報は、単一のタイムスケジューリングユニットおよびアグリゲーションレベルにおける時間領域位置の開始位置および時間領域終了位置に対してジョイント符号化を実行することによって得られる指示情報であるか、または、第1の指示情報は、単一のタイムスケジューリングユニットおよびアグリゲーションレベルにおける時間領域位置の開始位置および占有された指示ユニットの量に対してジョイント符号化を実行することによって得られる指示情報である。
【００１６】
具体的には、単一のタイムスケジューリングユニットにおける時間領域位置は、単一のタイムスケジューリングユニットにおける時間領域位置の開始位置および時間領域終了位置であってもよいか、または単一のタイムスケジューリングユニットにおける時間領域位置の開始位置および占有された指示ユニットの量であってもよい。2つの時間領域位置のいずれかを使用することにより、単一のタイムスケジューリングユニットにおける時間領域位置の開始位置と時間領域終了位置とを簡単かつ直接に判定できる。加えて、本発明の本実施形態では、基地局は、第1の指示情報に対してジョイント符号化をさらに実行することができ、ジョイント符号化の後に取得された第1の指示情報は比較的少量のbitを占有することができ、すなわち比較的少量のbitを使用して比較的大量の情報を指示できる。これにより、シグナリングオーバヘッドをさらに削減できる。
【００１７】
可能な設計では、端末はさらに、タイムスケジューリングユニットタイプおよび第1の指示情報に基づいて、タイムスケジューリングユニットにおける時間領域位置を最終的に判定してもよい。例えば、この方法は、端末により、その量がアグリゲーションレベルによって表される1つまたは複数のタイムスケジューリングユニットに含まれる各タイムスケジューリングユニットのタイプを判定するステップと、端末により、各タイムスケジューリングユニットのタイプに基づいて、各タイムスケジューリングユニットにおいてダウンリンクデータ送信に使用され得る時間領域位置を判定し、第1の指示情報に基づいて、各タイムスケジューリングユニットにおいてダウンリンクデータ送信のためにスケジュールされる時間領域位置を判定するステップと、端末により、判定された2つの時間領域位置の交差セットが、各タイムスケジューリングユニットにおいてダウンリンクデータ送信に実際に使用される時間領域位置であると判定するステップである。
【００１８】
例えば、タイムスケジューリングユニットタイプがself-contained型である場合、タイムスケジューリングユニットにおけるすべてのシンボルがダウンリンクデータ送信に使用できるわけではない可能性がある。したがって、第1の指示情報によって示される時間領域位置がダウンリンクデータ送信に使用できないシンボルを含む場合、当然、端末はこれらのシンボル上でダウンリンクデータを受信できない。これを考慮して、本発明の本実施形態では、端末はさらに、タイムスケジューリングユニットタイプおよび第1の指示情報に基づいて、タイムスケジューリングユニットにおける時間領域位置を最終的に判定してもよい。例えば、タイムスケジューリングユニットタイプを示す情報が、slot内の第1のシンボルから第5のシンボルがダウンリンク送信シンボルであることを示し、第1の指示情報が、slot内の第2から第6のシンボルがダウンリンクデータ送信のための時間領域位置であることを示す場合、端末は、slot内のダウンリンクデータの時間領域位置が第2のシンボルから第5のシンボルであると判定してもよい。タイムスケジューリングユニットタイプが示されているため、端末は、ダウンリンクデータ送信用の時間領域位置をより正確に判定でき、ダウンリンクデータを送信できない位置でダウンリンクデータをリッスンすることを防がれ、それによって端末の電力消費を削減する。
【００１９】
可能な設計では、単一のタイムスケジューリングユニットにおける時間領域位置に基づいて、ダウンリンクデータが時間領域で不連続であると判定した場合、端末はマッピング中に、周波数領域マッピングが、時間領域マッピングの前にダウンリンクデータに対して実行されると判定する。
【００２０】
基地局によるダウンリンクデータのマッピングには、特定のマッピング規則がある。マッピング規則は、マッピング中に、周波数領域マッピングが時間領域マッピングの前にダウンリンクデータに対して実行されるか、または時間領域マッピングが周波数領域マッピングの前にダウンリンクデータに対して実行されるかを示すために使用される。したがって、ダウンリンクデータを復調するために、端末はマッピング規則を知る必要がある。例えば、基地局は、ダウンリンクデータのマッピング規則を端末に直接示すことを選択でき、その後、端末はマッピング規則を直接判定できる。これは比較的単純である。あるいは、基地局はマッピング規則を端末に特別に示す必要がなく、端末は、ダウンリンクデータに割り当てられている時間領域リソースおよび／または周波数領域リソースの特性（単数または複数）に基づいてマッピング規則を判定できる。この方法では、基地局と端末の間で過度のシグナリング対話が必要とされないため、シグナリングオーバヘッドを削減できる。この方法が使用される場合、端末と基地局は同じ方法でマッピング規則を判定する必要がある。例えば、デフォルトのマッピング規則は、ダウンリンクデータが時間領域で不連続である場合、マッピング中に、時間領域マッピングの前に、周波数領域マッピングがダウンリンクデータに対して実行されると判定することである。別の例では、例えば、別のデフォルトのマッピング規則は、ダウンリンクデータが周波数領域で不連続である場合、マッピング中に、周波数領域マッピングの前に、時間領域マッピングがダウンリンクデータに対して実行されると判定することである。2つのマッピング規則を使用することで、リソースマッピングの連続性を可能な限り保証し、基地局および端末の実装の複雑さを軽減するために、不連続なリソースマッピング位置を減らすことができる。
【００２１】
第2の態様によれば、リソース指示方法が提供され、この方法は基地局によって実行され得る。この方法は、基地局により、第1の指示情報を端末に送信し、第1の指示情報は、ダウンリンクデータ送信用のリソース構成を指示するために使用され、リソース構成は、タイムスケジューリングユニットアグリゲーションレベルおよび単一のタイムスケジューリングユニットにおける時間領域位置を含み、アグリゲーションレベルは、ダウンリンクデータ送信用のリソースに含まれるタイムスケジューリングユニットの量を表すステップと、基地局により、単一のタイムスケジューリングユニットにおける時間領域リソースが、その量がアグリゲーションレベルによって表される1つまたは複数のタイムスケジューリングユニットの各タイムスケジューリングユニットに対して有効であると判定し、それに応じてダウンリンクデータを送信するステップとを含む。
【００２２】
可能な設計では、時間領域位置の指示ユニットは複数の時間領域シンボルであり、時間領域シンボルはダウンリンクデータ送信用の最小時間領域送信ユニットである。
【００２３】
可能な設計では、基地局は、第2の指示情報を端末にさらに送信し、第2の指示情報は、時間領域位置の指示ユニットに含まれる時間領域シンボルの量を指示するために使用される。
【００２４】
可能な設計では、基地局は、第1の指示情報を取得するために、単一のタイムスケジューリングユニットおよびアグリゲーションレベルの時間領域位置の開始位置および時間領域終了位置に対してジョイント符号化を実行するか、または、基地局は、第1の指示情報を取得するために、単一のタイムスケジューリングユニットおよびアグリゲーションレベルにおいて時間領域位置の開始位置および占有された指示ユニットの量に対してジョイント符号化を実行する。
【００２５】
可能な設計では、単一のタイムスケジューリングユニットにおける時間領域位置に基づいて、ダウンリンクデータが時間領域で不連続であると判定した場合、基地局はマッピング中に、時間領域マッピングの前に周波数領域マッピングをダウンリンクデータに対して実行すると判定する。
【００２６】
第3の態様によれば、リソース指示方法が提供され、この方法は端末によって実行され得る。この方法は、端末により、基地局から第1の指示情報を受信するステップであって、第1の指示情報は、ダウンリンクデータ送信用のリソース構成を指示するために使用され、リソース構成は、タイムスケジューリングユニットアグリゲーションレベルと、その量がアグリゲーションレベルによって表されるすべてのタイムスケジューリングユニットにおける時間領域位置とを含み、アグリゲーションレベルは、ダウンリンクデータ送信用のリソースに含まれるタイムスケジューリングユニットの量を表す、ステップと、端末により、それに応じてダウンリンクデータ送信を受信するステップとを含む。
【００２７】
リソース構成がすべてのタイムスケジューリングユニットに時間領域位置を含む場合は、リソース構成は1つだけの時間領域位置をさらに含む。本明細書では、「1つ」は「複数」に対して説明される。例えば、単一のタイムスケジューリングユニットにおける時間領域位置は、1つの時間領域位置として理解されてもよい。次に、すべてのタイムスケジューリングユニットの時間領域位置が個別に示されている場合、リソース構成が複数の時間領域位置を含む必要があることに相当する。ある時間領域位置に必要なシグナリングオーバヘッドは、複数の時間領域位置に必要なシグナリングオーバヘッドより明らかに低い。言い換えれば、1つの時間領域位置のみを使用することにより、すべてのタイムスケジューリングユニットにおける時間領域位置を示すことができる。これにより、すべてのタイムスケジューリングユニットにおける時間領域位置が個別に示される場合と比較して、シグナリングオーバヘッドを効果的に削減できる。
【００２８】
可能な設計では、時間領域位置の指示ユニットは複数の時間領域シンボルであり、時間領域シンボルはダウンリンクデータ送信用の最小時間領域送信ユニットである。
【００２９】
可能な設計では、端末は、基地局から第2の指示情報を受信し、第2の指示情報は、時間領域位置の指示ユニットに含まれる時間領域シンボルの量を指示するために使用される。
【００３０】
可能な設計では、第1の指示情報は、すべてのタイムスケジューリングユニットおよびアグリゲーションレベルにおける時間領域位置の開始位置および時間領域終了位置に対してジョイント符号化を実行することによって得られる指示情報であるか、または、第1の指示情報は、すべてのタイムスケジューリングユニットおよびアグリゲーションレベルにおいて時間領域位置の開始位置および占有された指示ユニットの量に対してジョイント符号化を実行することによって得られる指示情報である。
【００３１】
可能な設計では、端末は、その量がアグリゲーションレベルによって表される1つまたは複数のタイムスケジューリングユニットに含まれる各タイムスケジューリングユニットのタイプを判定し、端末は、各タイムスケジューリングユニットのタイプに基づいて、各タイムスケジューリングユニットにおいてダウンリンクデータ送信に使用され得る時間領域位置を判定し、第1の指示情報に基づいて、各タイムスケジューリングユニットにおいてダウンリンクデータ送信のためにスケジュールされる時間領域位置を判定し、端末は、2つの判定された時間領域位置の交差セットが、各タイムスケジューリングユニットにおいてダウンリンクデータ送信に実際に使用される時間領域位置であると判定する。
【００３２】
可能な設計では、単一のタイムスケジューリングユニットにおける時間領域位置に基づいて、ダウンリンクデータが時間領域で不連続であると判定した場合、端末はマッピング中に、周波数領域マッピングが、時間領域マッピングの前にダウンリンクデータに対して実行されると判定する。
【００３３】
第4の態様によれば、リソース指示方法が提供され、この方法は基地局によって実行され得る。この方法は、基地局により、第1の指示情報を端末に送信し、第1の指示情報は、ダウンリンクデータ送信用のリソース構成を指示するために使用され、リソース構成は、タイムスケジューリングユニットアグリゲーションレベルと、その量がアグリゲーションレベルによって表されるすべてのタイムスケジューリングユニットにおける時間領域位置とを含み、アグリゲーションレベルは、ダウンリンクデータ送信用のリソースに含まれるタイムスケジューリングユニットの量を表すステップと、基地局により、それに応じてダウンリンクデータを送信するステップとを含む。
【００３４】
可能な設計では、時間領域位置の指示ユニットは複数の時間領域シンボルであり、時間領域シンボルはダウンリンクデータ送信用の最小時間領域送信ユニットである。
【００３５】
可能な設計では、基地局は、第2の指示情報を端末に送信し、第2の指示情報は、時間領域位置の指示ユニットに含まれる時間領域シンボルの量を指示するために使用される。
【００３６】
可能な設計では、基地局は、第1の指示情報を取得するために、すべてのタイムスケジューリングユニットおよびアグリゲーションレベルの時間領域位置の開始位置および時間領域終了位置に対してジョイント符号化を実行するか、または、基地局は、第1の指示情報を取得するために、すべてのタイムスケジューリングユニットおよびアグリゲーションレベルにおいて時間領域位置の開始位置および占有された指示ユニットの量に対してジョイント符号化を実行する。
【００３７】
可能な設計では、単一のタイムスケジューリングユニットにおける時間領域位置に基づいて、ダウンリンクデータが時間領域で不連続であると判定した場合、基地局はマッピング中に、時間領域マッピングの前に周波数領域マッピングをダウンリンクデータに対して実行すると判定する。
【００３８】
第5の態様によれば、通信装置が提供される。通信装置は、前述の方法設計を実施するための端末の機能を有する。これらの機能は、ハードウェアによって実施されてもよく、またはハードウェアによって対応するソフトウェアを実行することにより実施されてもよい。ハードウェアまたはソフトウェアは、機能に対応する1つまたは複数のユニットを含む。
【００３９】
可能な設計では、通信装置の特定の構造は、処理ユニットと受信ユニットを含み得る。処理ユニットおよび受信ユニットは、第1の態様または第1の態様の可能な設計のいずれか1つで提供される方法における対応する機能を実行してもよい。
【００４０】
第6の態様によれば、通信装置が提供される。通信装置は、前述の方法設計を実施するための基地局の機能を有する。これらの機能は、ハードウェアによって実施されてもよく、またはハードウェアによって対応するソフトウェアを実行することにより実施されてもよい。ハードウェアまたはソフトウェアは、機能に対応する1つまたは複数のユニットを含む。
【００４１】
可能な設計では、通信装置の特定の構造は、処理ユニットおよび送信ユニットを含み得る。処理ユニットおよび送信ユニットは、第2の態様または第2の態様の可能な設計のいずれか1つで提供される方法において対応する機能を実行してもよい。
【００４２】
第7の態様によれば、通信装置が提供される。通信装置は、前述の方法設計を実施するための端末の機能を有する。これらの機能は、ハードウェアによって実施されてもよく、またはハードウェアによって対応するソフトウェアを実行することにより実施されてもよい。ハードウェアまたはソフトウェアは、機能に対応する1つまたは複数のユニットを含む。
【００４３】
可能な設計では、通信装置の特定の構造は、処理ユニットと受信ユニットを含み得る。処理ユニットおよび受信ユニットは、第3の態様または第3の態様の可能な設計のいずれか1つで提供される方法の対応する機能を実行してもよい。
【００４４】
第8の態様によれば、通信装置が提供される。通信装置は、前述の方法設計を実施するための基地局の機能を有する。これらの機能は、ハードウェアによって実施されてもよく、またはハードウェアによって対応するソフトウェアを実行することにより実施されてもよい。ハードウェアまたはソフトウェアは、機能に対応する1つまたは複数のユニットを含む。
【００４５】
可能な設計では、通信装置の特定の構造は、処理ユニットおよび送信ユニットを含み得る。処理ユニットおよび送信ユニットは、第4の態様または第4の態様の可能な設計のいずれか1つで提供される方法で対応する機能を実行してもよい。
【００４６】
第9の態様によれば、通信装置が提供される。通信装置は、端末または端末に配置された機能モジュールであってもよい。通信装置は、受信機およびプロセッサを含み、プロセッサと受信機は接続され、例えば、バスを使用して接続される。プロセッサおよび受信機は、第1の態様または第1の態様の可能な設計のいずれか1つで端末によって実行される方法を協働して実行することができる。
【００４７】
第10の態様によれば、通信装置が提供される。通信装置は、基地局または基地局に配置された機能モジュールであってもよい。通信装置は送信機およびプロセッサを含み、プロセッサと受信機は接続され、例えばバスを使用して接続される。プロセッサおよび送信機は、第2の態様または第2の態様の可能な設計のいずれか1つで基地局によって実行される方法を協働して実行することができる。
【００４８】
第11の態様によれば、通信装置が提供される。通信装置は、端末または端末に配置された機能モジュールであってもよい。通信装置は、受信機およびプロセッサを含み、プロセッサと受信機は接続され、例えば、バスを使用して接続される。プロセッサおよび受信機は、第3の態様または第3の態様の可能な設計のいずれか1つで端末によって実行される方法を協働して実行することができる。
【００４９】
第12の態様によれば、通信装置が提供される。通信装置は、基地局または基地局に配置された機能モジュールであってもよい。通信装置は送信機およびプロセッサを含み、プロセッサと受信機は接続され、例えばバスを使用して接続される。プロセッサおよび送信機は、第4の態様または第4の態様の可能な設計のいずれか1つで基地局によって実行される方法を協働して実行することができる。
【００５０】
第13の態様によれば、通信装置が提供される。通信装置は、端末または端末内に配置されたチップであってもよい。通信装置は、コンピュータ実行可能プログラムコードを格納するように構成されたメモリ、通信インタフェース、およびプロセッサを含む。プロセッサは、メモリおよび通信インタフェースに接続されている。メモリに格納されたプログラムコードは命令を含み、プロセッサが命令を実行すると、命令は、通信装置に、第1の態様または第1の態様の可能な設計のいずれかで端末によって実行される方法を実行させる。
【００５１】
第14の態様によれば、通信装置が提供される。通信装置は、基地局または基地局に配置されたチップであってもよい。通信装置は、コンピュータ実行可能プログラムコードを格納するように構成されたメモリ、通信インタフェース、およびプロセッサを含む。プロセッサは、メモリおよび通信インタフェースに接続されている。メモリに格納されたプログラムコードは命令を含み、プロセッサが命令を実行すると、命令は、通信装置に、第2の態様または第2の態様の可能な設計のいずれかで基地局によって実行される方法を実行させる。
【００５２】
第15の態様によれば、通信装置が提供される。通信装置は、端末または端末内に配置されたチップであってもよい。通信装置は、コンピュータ実行可能プログラムコードを格納するように構成されたメモリ、通信インタフェース、およびプロセッサを含む。プロセッサは、メモリおよび通信インタフェースに接続されている。メモリに格納されたプログラムコードは命令を含み、プロセッサが命令を実行すると、命令は、通信装置に、第3の態様または第3の態様の可能な設計のいずれかで端末によって実行される方法を実行させる。
【００５３】
第16の態様によれば、通信装置が提供される。通信装置は、基地局または基地局に配置されたチップであってもよい。通信装置は、コンピュータ実行可能プログラムコードを格納するように構成されたメモリ、通信インタフェース、およびプロセッサを含む。プロセッサは、メモリおよび通信インタフェースに接続されている。メモリに格納されたプログラムコードは命令を含み、プロセッサが命令を実行すると、命令は、通信装置に、第4の態様または第4の態様の可能な設計のいずれかで基地局によって実行される方法を実行させる。
【００５４】
第17の態様によれば、コンピュータ記憶媒体が提供される。コンピュータ記憶媒体は、第5の態様に記載の通信装置、第9の態様に記載の通信装置、または第13の態様に記載の通信装置によって使用されるコンピュータソフトウェア命令を記憶するように構成され、端末用に第1の態様または第1の態様の可能な設計のいずれか1つにおける方法を実行するように設計されたプログラムを含む。
【００５５】
第18の態様によれば、コンピュータ記憶媒体が提供される。コンピュータ記憶媒体は、第6の態様に記載の通信装置、第10の態様に記載の通信装置、または第14の態様に記載の通信装置によって使用されるコンピュータソフトウェア命令を記憶するように構成され、基地局用に第2の態様または第2の態様の可能な設計のいずれか1つにおける方法を実行するように設計されたプログラムを含む。
【００５６】
第19の態様によれば、コンピュータ記憶媒体が提供される。コンピュータ記憶媒体は、第7の態様に記載の通信装置、第11の態様に記載の通信装置、または第15の態様に記載の通信装置によって使用されるコンピュータソフトウェア命令を記憶するように構成され、端末用に第1の態様または第1の態様の可能な設計のいずれか1つにおける方法を実行するように設計されたプログラムを含む。
【００５７】
第20の態様によれば、コンピュータ記憶媒体が提供される。コンピュータ記憶媒体は、第8の態様に記載の通信装置、第12の態様に記載の通信装置、または第16の態様に記載の通信装置によって使用されるコンピュータソフトウェア命令を記憶するように構成され、基地局用に第4の態様または第4の態様の可能な設計のいずれか1つにおける方法を実行するように設計されたプログラムを含む。
【００５８】
第21の態様によれば、命令を含むコンピュータプログラム製品が提供される。命令がコンピュータ上で実行されると、コンピュータは、第1の態様または第1の態様の可能な設計のいずれか1つの方法を実行する。
【００５９】
第22の態様によれば、命令を含むコンピュータプログラム製品が提供される。命令がコンピュータ上で実行されると、コンピュータは、第2の態様または第2の態様の可能な設計のいずれか1つの方法を実行する。
【００６０】
第23の態様によれば、命令を含むコンピュータプログラム製品が提供される。命令がコンピュータ上で実行されると、コンピュータは、第3の態様または第3の態様の可能な設計のいずれか1つの方法を実行する。
【００６１】
第24の態様によれば、命令を含むコンピュータプログラム製品が提供される。命令がコンピュータ上で実行されると、コンピュータは、第4の態様または第4の態様の可能な設計のいずれか1つの方法を実行する。
【００６２】
本発明の実施形態では、比較的少量のビットを使用することにより、比較的大きな時間領域範囲を示すことができる。これは、シグナリングオーバヘッドを効果的に削減する。
【図面の簡単な説明】
【００６３】
【図１】LTEシステムにおいてPDSCHによって占有されるリソース位置の概略図である。
【図２】本発明の一実施形態によるアプリケーションシナリオの概略図である。
【図３】本発明の一実施形態による別のアプリケーションシナリオの概略図である。
【図４】本発明の一実施形態によるリソース指示方法のフローチャートである。
【図５】本発明の一実施形態による第1の指示情報の指示方法の概略図である。
【図６】本発明の一実施形態によるslot内のダウンリンクデータ送信の概略図である。
【図７】本発明の一実施形態によるslot内のダウンリンクデータ送信の概略図である。
【図８Ａ】本発明の実施形態による異なるマッピング規則を使用することによるダウンリンクデータのマッピングの概略図である。
【図８Ｂ】本発明の実施形態による異なるマッピング規則を使用することによるダウンリンクデータのマッピングの概略図である。
【図８Ｃ】本発明の実施形態による異なるマッピング規則を使用することによるダウンリンクデータのマッピングの概略図である。
【図８Ｄ】本発明の実施形態による異なるマッピング規則を使用することによるダウンリンクデータのマッピングの概略図である。
【図９】本発明の実施形態による通信装置のいくつかの概略構造図である。
【図１０】本発明の実施形態による通信装置のいくつかの概略構造図である。
【図１１】本発明の実施形態による通信装置のいくつかの概略構造図である。
【発明を実施するための形態】
【００６４】
本発明の実施形態の目的、技術的解決策、および利点をより明確にするために、以下では、添付の図面を参照して本発明の実施形態をさらに詳細に説明する。
【００６５】
この仕様で提供される技術的解決策は、5G NRシステム（以下ではNRシステムと簡単に呼ばれる）に適用でき、次世代モバイル通信システムや他の同様のモバイル通信システムでも使用できる。
【００６６】
以下は、当業者がより良い理解を得るのを助けるために、本発明の実施形態におけるいくつかの用語を解釈する。
【００６７】
（1）端末は、音声および／またはデータ接続をユーザに提供する装置である。例えば、端末は、無線接続機能を有するハンドヘルド装置、または無線モデムに接続された処理装置を含んでもよい。端末は、無線アクセスネットワーク（Radio Access Network、RAN）を使用してコアネットワークと通信し、RANと音声および／またはデータを交換できる。端末は、アクセスポイント（Access Point、AP）、ユーザ機器（User Equipment、UE）、無線端末、モバイル端末、加入者ユニット（Subscriber Unit）、加入者局（Subscriber Station）、移動局（Mobile Station）、モバイルコンソール（Mobile）、遠隔局（Remote Station）、アクセスポイント（Access Point、AP）、遠隔端末（Remote Terminal）、アクセス端末（Access Terminal）、ユーザ端末（User Terminal）、ユーザエージェント（User Agent）、ユーザ装置（User Device）などを含み得る。例えば、端末は、携帯電話（または「セルラ電話」と呼ばれる）、モバイル端末を有するコンピュータ、携帯用、ポケットサイズ、手持ち式、コンピュータ内蔵、または車載モバイル機器、あるいはスマートウェアラブル装置を含んでもよい。例えば、端末は、パーソナル通信サービス（Personal Communication Service、PCS）電話、コードレス電話セット、セッション開始プロトコル（SIP）電話、無線ローカルループ（Wireless Local Loop、WLL）局、携帯情報端末（Personal Digital Assistant、PDA）、スマートウォッチ、スマートヘルメット、スマートグラス、またはスマートバンドなどの装置であってもよい。
【００６８】
（2）ネットワーク装置は、例えば、基地局（例えば、アクセスポイント）を含み、アクセスネットワークにおけるエアインタフェース上で1つ以上のセクタを介して無線端末と通信する装置であってもよい。基地局は、受信した無線フレームとインターネットプロトコル（IP）パケットを相互に変換し、端末とアクセスネットワークの残りの部分との間のルータとして機能するように構成できる。アクセスネットワークの残りの部分は、IPネットワークを含んでもよい。基地局は、エアインタフェースの属性管理をさらに調整してもよい。例えば、基地局は、LTEシステムまたはLTEアドバンスド（LTE-Advanced、LTE-A）システムにおける進化型NodeB（eNBまたはe-NodeB、evolutional Node B）、あるいはLTEシステムまたはLTE-Aシステムにおける小セル（micro/pico eNB）を含んでもよく、NRシステムにおける次世代NodeB（next generation node B、gNB）、または送信ポイント（transmission point、TP）、あるいは、送信／受信ノード（transmission and receiver point、TRP）を含んでもよい。これは、本発明の本実施形態においては限定されない。
【００６９】
（3）タイムスケジューリングユニット、すなわちタイムスケジューリング測定ユニットは、例えば、スロット（slot）、無線フレーム、サブフレーム、またはミニスロット（mini-slot）である。これは、本発明の本実施形態においては限定されない。タイムスケジューリングユニットは、1つまたは複数の最小時間領域送信ユニットを含み得る。時間領域シンボルとも呼ばれる最小時間領域送信ユニットは、ダウンリンクデータを送信するための最小時間領域送信ユニットである。例えば、最小時間領域送信ユニットは、直交周波数分割多重（Orthogonal Frequency Division Multiplexing、OFDM）シンボルである。以下では、OFDMシンボルを簡単にシンボルと呼ぶ。
【００７０】
（4）時間領域位置の指示ユニットとも呼ばれるか、または簡単に指示ユニットとも呼ばれる時間領域粒度は、本発明の実施形態における第1の指示情報が時間領域位置を指示するときに使用される最小の指示ユニットである。指示ユニットの長さは、ダウンリンクデータを送信するための最小時間領域ユニットの長さの整数倍である。最小時間領域ユニットはまた、時間領域シンボルと呼ばれることがあり、例えば、具体的にはOFDMシンボルである。この場合、指示ユニットは、1つのシンボル、2つのシンボル、3つのシンボルなどであり得る。
【００７１】
（5）アグリゲーションレベルは、ダウンリンクデータを送信するためのリソースに含まれるタイムスケジューリングユニットの量を表す。具体的には、基地局は、複数のタイムスケジューリングユニットを用いてダウンリンクデータを送信する、すなわち、タイムスケジューリングユニットアグリゲーションによりダウンリンクデータを送信する。したがって、アグリゲーションに参加するタイムスケジューリングユニットの量は、アグリゲーションレベルと呼ばれる。例えば、アグリゲーションレベルが2の場合、基地局が2つのタイムスケジューリングユニットを使用してダウンリンクデータを送信することを示す。1つのアグリゲーションレベルに含まれるタイムスケジューリングユニットは、時間領域で連続的または非連続的であってもよく、1つのアグリゲーションレベルは、1つまたは複数のタイプのタイムスケジューリングユニットを含み得る。これは本明細書では限定されない。
【００７２】
（6）ダウンリンク制御チャネルは、制御情報を搬送するために使用される。本仕様書では、特定のタイプのダウンリンク制御チャネルは限定されない。例えば、ダウンリンク制御チャネルのタイプは、PDCCHまたは拡張型物理ダウンリンク制御チャネル（Enhanced Physical Downlink Control Channel、EPDCCH）を含み、制御情報の送信に使用される別のダウンリンク制御チャネルをさらに含んでもよい。
【００７３】
（7）ダウンリンクデータチャネルは、データの搬送に使用される。本仕様書では、特定のタイプのダウンリンクデータチャネルは限定されない。例えば、ダウンリンクデータチャネルのタイプはPDSCHを含み、データを送信するために使用される別のダウンリンクデータチャネルをさらに含み得る。
【００７４】
（8）本発明の実施形態における「システム」および「ネットワーク」という用語は、交換可能に使用される。「複数」という用語は「2つ以上」を意味する。これに鑑みて、「複数の」はまた、本発明の実施形態では「少なくとも2つ」と理解され得る。「および／または」という用語は、関連する対象物間の関連関係を表し、3つの関係が存在する可能性があることを示す。例えば、Aおよび／またはBは次の、Aのみ存在し、AおよびBの両方が存在し、Bのみが存在する、3つの場合を示すことができる。さらに、文字「／」は他に指定されていない限り、一般に、関連する対象間の「または」関係を示す。いくつかの実施形態では、文字「／」は「および／または」として代替的に理解されてもよく、特定の意味は文脈に基づいて理解されてもよい。
【００７５】
本発明の実施形態における技術的解決策をより良く理解するために、本発明の実施形態の適用シナリオが最初に説明される。
【００７６】
図2は、本発明の一実施形態による適用シナリオを示す。端末および基地局が図2に含まれている。端末は基地局と情報を交換できる。基地局は、ダウンリンクデータを端末に送信でき、端末はまた、基地局によって送信されたダウンリンクデータを受信できる。加えて、端末はアップリンクデータを基地局にさらに送信でき、基地局はまた端末によって送信されたアップリンクデータを受信できる。
【００７７】
図2に示される適用シナリオに加えて、本発明の本実施形態はまた、共同送信シナリオで使用され得る。例えば、既存の協調マルチポイント送信／受信（Coordinated Multiple Points Transmission、CoMP）の背景では、既存の多入力多出力（Multiple-Input Multiple-Output、MIMO）技術（送信信頼性を向上させるためのダイバーシティテクノロジおよびデータ送信速度を上げるためのマルチストリーム技術を含む）は、協調マルチポイント送信／受信と組み合わされて、分散型複数アンテナシステムを形成し、ユーザにより良いサービスを提供する。図3は、複数のアンテナサイトにより協調送信／受信を実行する適用シナリオの概略図である。本発明の一実施形態は、同種ネットワークシナリオおよび異種ネットワークシナリオの両方に適用可能であり、送信点を限定しない。本発明の本実施形態は、マクロ基地局間、マイクロ基地局間、またはマクロ基地局とマイクロ基地局との間の協調マルチポイント送信／受信に適用され、周波数分割複信（FDD）／時分割複信（Time Division Duplexing、TDD）／フレキシブル複信（flexible duplexing、or、Dynamic Time Division Duplexing、D-TDD）システムに適用可能である。本発明の本実施形態は、低周波数（6GHz以下）シナリオおよび高周波数（6GHz以上）シナリオの両方に適用可能である。
【００７８】
NRシステムでは、ダウンリンクデータチャネルに対する複数の可能な時間領域リソース位置が存在する。この場合、端末は、LTEに適用される方法に従って、ダウンリンクデータチャネルによって占有される時間領域リソース位置を特定できず、その結果、正しい位置でデータを受信できない。この技術的問題を解決するために、本発明の実施形態における技術的解決策が提供される。以下では、添付の図面を参照して技術的な解決策について説明する。本発明の実施形態で提供される技術的解決策が図2または図3に示される適用シナリオに適用される例は、以下の説明プロセスで使用される。本発明の実施形態で提供される技術的解決策が図3に示される適用シナリオに適用される場合、本発明の実施形態は基地局のいずれか1つの観点から説明されると考えることができる。
【００７９】
図4を参照して、本発明の一実施形態は、リソース指示方法を提供する。この方法の手順は以下の通りである。
【００８０】
S41．基地局は、第1の指示情報を生成する。
【００８１】
ダウンリンクデータを端末に送信する前に、基地局は第1の指示情報を生成する。第1の指示情報は、ダウンリンクデータを送信するためのリソース構成を示すために使用される。リソース構成は、時間領域リソース構成を含むことができ、例えば、タイムスケジューリングユニットアグリゲーションレベルを含むことができる。例えば、リソース構成は、単一のタイムスケジューリングユニットに時間領域位置を含んでもよい。別の例では、リソース構成は、すべてのタイムスケジューリングユニットに時間領域位置を含んでもよい。さらに別の例では、リソース構成は、各タイムスケジューリングユニットに時間領域位置を含んでもよい。
【００８２】
リソース構成が単一のタイムスケジューリングユニットに時間領域位置を含む場合、リソース構成は1つだけの時間領域位置を含むことに相当する。本明細書では、「1つ」は「複数」に対して説明される。例えば、単一のタイムスケジューリングユニットを示すために使用される時間領域位置は、1つの時間領域位置として理解されてもよい。次に、すべてのタイムスケジューリングユニットの時間領域位置が個別に示されている場合、リソース構成が複数の時間領域位置を含む必要があることに相当する。ある時間領域位置に必要なシグナリングオーバヘッドは、複数の時間領域位置に必要なシグナリングオーバヘッドより明らかに低い。この場合、単一のタイムスケジューリングユニットにおける時間領域リソースは、その量がアグリゲーションレベルによって表される1つまたは複数のタイムスケジューリングユニットの各タイムスケジューリングユニットに対して有効である。言い換えれば、リソース構成は、単一のタイムスケジューリングユニット内に時間領域位置のみを含むが、単一のタイムスケジューリングユニットにおける時間領域位置は、各タイムスケジューリングユニットに適用されてもよい。したがって、単一のタイムスケジューリングユニットにおける時間領域位置を示すことにより、その量がアグリゲーションレベルによって表される1つまたは複数のタイムスケジューリングユニットに含まれる各タイムスケジューリングユニットにおける時間領域位置を示すことができる。これは、シグナリングオーバヘッドを効果的に削減する。
【００８３】
リソース構成がすべてのタイムスケジューリングユニットに時間領域位置を含む場合もまた、リソース構成は1つだけの時間領域位置を含むことに相当する。本発明の本実施形態では、1つの時間領域位置のみを使用することにより、すべてのタイムスケジューリングユニットにおける時間領域位置を示すことができる。これにより、すべてのタイムスケジューリングユニットにおける時間領域位置が個別に示される場合と比較して、シグナリングオーバヘッドを効果的に削減できる。
【００８４】
リソース構成が各タイムスケジューリングユニットに時間領域位置を含む場合、リソース構成は複数の時間領域位置を含むことに相当する。言い換えれば、第1の指示情報は、その量がアグリゲーションレベルによって表されるすべてのタイムスケジューリングユニットにおける時間領域位置を個別に示す。この指示方法は比較的正確であるため、端末の作業負荷を軽減でき、各タイムスケジューリングユニットの時間領域位置を直接判定できる。
【００８５】
上記のように、リソース構成は異なる時間領域位置を含む場合がある。言い換えれば、時間領域位置は、様々な方法を使用してリソース構成において示されてもよい。実際の用途では、システムにおいてデフォルトの指示方法が使用される場合がある。例えば、プロトコルは、システムのデフォルトで、リソース構成が単一のタイムスケジューリングユニットに時間領域位置を含むことを指定できる。この場合、基地局は、シグナリングを使用して、リソース構成に含まれる特定の時間領域位置を端末に追加で通知する必要はなく、端末はデフォルトの規則に従って、リソース構成に含まれる特定の時間領域位置を知ることができる。あるいは、基地局は、シグナリングを使用することにより、第1の指示情報によって示されるリソース構成に含まれる特定の時間領域位置を端末に通知してもよい。例えば、基地局は第4の指示情報を端末に送信し、第4の指示情報を受信した後、端末はリソース構成に含まれる特定の時間領域構成を判定できる。例えば、基地局は、第4の指示情報を端末に送信し、第4の指示情報は、第1の指示情報によって示されるリソース構成がすべてのタイムスケジューリングユニットにおける時間領域位置を含むことを示すために使用される。これは、基地局が、シグナリングを使用して、リソース構成に含まれる時間領域位置を端末に通知するアプリケーション方式に相当する。この場合、第4の指示情報と第1の指示情報は同じ指示情報であるか、または第4の指示情報と第1の指示情報は1つのシグナリング内の2つのフィールドであるか、または第4の指示情報は他のシグナリング、例えば、上位層シグナリングまたは物理層シグナリングを使用して送信されてもよい。これは、本発明の本実施形態においては限定されない。
【００８６】
例えば、第1の指示情報は第1のフィールドを含み、第1のフィールドは単一のタイムスケジューリングユニットにおける時間領域位置を示すために使用され、すべてのタイムスケジューリングユニットにおける時間領域位置を示すために使用されるか、または各タイムスケジューリングユニットにおける時間領域位置を示すために使用されてもよい。本発明の本実施形態で提供される技術的解決策が図3に示される適用シナリオに適用される場合、基地局が共同送信を介して端末にデータを送信するとき、いくつかの基地局は、複数のタイムスケジューリングユニットを使用することにより、ダウンリンクデータを端末に送信し得る、すなわち、集約されたタイムスケジューリングユニットを使用することにより、ダウンリンクデータを端末に送信することに留意されたい。本発明の本実施形態で提供される技術的解決策は、複数のタイムスケジューリングユニットを使用することによってダウンリンクデータを端末に送信する任意の基地局に適用可能である。基地局によってスケジュールされるアグリゲーションに参加する複数のタイムスケジューリングユニットは、時間領域で連続的または非連続的であり得る。
【００８７】
第1の指示情報が、ダウンリンクデータを送信するための時間領域リソース構成を示すために使用される本発明の本実施形態では、以下のいくつかの指示方法を含むがこれらに限定されない。例えば、特定の使用された指示方法は、プロトコルで事前に定義または指定されてもよく、基地局と端末の両方が特定の指示方法を知ることができる。あるいは、基地局は、シグナリングを使用することにより、特定の指示方法を端末に通知してもよい。具体的には、シグナリングおよび第1の指示情報は、1つのシグナリング内の2つのフィールドであるか、あるいはシグナリングは、他のシグナリングを使用して、例えば上位層シグナリングまたは物理層シグナリングを使用して送信されてもよい。これは、本発明の本実施形態においては限定されない。
【００８８】
方法1：第1の指示情報によって示される時間領域位置は、ダウンリンクデータによって占有される時間領域位置の開始位置および時間領域終了位置を含む。
【００８９】
第1の指示情報が単一のタイムスケジューリングユニットで時間領域位置を示すために使用される場合、またはその量がアグリゲーションレベルによって表されるすべてのタイムスケジューリングユニットで時間領域位置を示すために使用される場合、第1の指示情報は、時間領域位置の1つの開始位置と1つの時間領域終了位置とを含む。例えば、第1の指示情報が、第1のフィールドを使用して単一のタイムスケジューリングユニットにおける時間領域位置、またはすべてのタイムスケジューリングユニットにおける時間領域位置を示す場合、第1のフィールドは時間領域位置の1つの開始位置および1つの時間領域終了位置を含む。代替的に、第1の指示情報が、その量がアグリゲーションレベルによって表される1つまたは複数のタイムスケジューリングユニットに含まれる各タイムスケジューリングユニットにおける時間領域位置を示すために使用される場合、第1の指示情報は、複数の時間領域開始位置および複数の時間領域終了位置を含む。例えば、第1の指示情報が、第1のフィールドを使用することにより各タイムスケジューリングユニットにおける時間領域位置を示す場合、第1のフィールドは、複数の時間領域開始位置および複数の時間領域終了位置を含み、第1のフィールドに含まれる時間領域開始位置の量は、第1のフィールドに含まれる時間領域終了位置の量と同じであり、両方の量はアグリゲーションレベルの値に等しい。
【００９０】
上述のように、第1の指示情報は、アグリゲーションレベルを示すためにさらに使用され得る。本発明の本実施形態では、基地局は、ジョイント符号化により、ダウンリンクデータおよびタイムスケジューリングユニットアグリゲーションレベルによって占有される時間領域位置開始位置および時間領域終了位置を示すことができる。以下では説明のために例を使用する。タイムスケジューリングユニットがslotである例は、以下の記述プロセスで使用される。例えば、時間領域開始位置、時間領域終了位置、およびslotアグリゲーションの状態は事前定義されており、特定の使用状態は第1の指示情報によって示される。例えば、定義された状態は表1にリストされており、少なくとも1つの状態が含まれている。表1は、第1の指示情報の値と、ダウンリンクデータおよびタイムスケジューリングユニットアグリゲーションレベルが占める時間領域位置の開始位置および時間領域終了位置との間のマッピング関係を示す。各bit値は1つの状態に対応する。
【００９１】
【表１】
2020519168.tif 000003
【００９２】
表1において、「ビット値」は、第1の指示情報のビット値を示し、「starting」は、第1の指示情報によって示される時間領域位置開始位置を示し、「ending」は、第1の指示情報によって示される時間領域終了位置を示す。例えば、第1の指示情報のビット値が1010の場合、時間領域位置の開始位置が2、時間領域終了位置が−1、およびスロットアグリゲーションレベルが4、つまり4つのslotがアグリゲーションに参加することを示す。
【００９３】
表1の特定の値は例であることに留意されたい。表1では、「starting」の値は0、1、および2である。適用中、別の例では、「starting」の値は、代替的に0、−1、−2などであり得る。表1では、「ending」の値は0、−1、および−2である。適用中、別の例では、「終了」の値は、代替的に0、1、2などであり得る。表1では、「slotアグリゲーションレベル」の値は1、2、4、および8である。適用中、別の例では、「スロットアグリゲーションレベル」の値は、代替的に1、2、3、4などであり得る。
【００９４】
「starting」の値および「ending」の値によって示される意味については後述する。
【００９５】
あるいは、例えば、時間領域開始位置、時間領域終了位置、およびslotアグリゲーションの状態は事前定義されており、特定の使用状態は第1の指示情報によって示される。例えば、定義された状態は表2にリストされており、少なくとも1つの状態が含まれている。表2は、第1の指示情報の値と、ダウンリンクデータおよびタイムスケジューリングユニットアグリゲーションレベルが占める時間領域位置の開始位置および時間領域終了位置との間の別のマッピング関係を示す。各bit値は1つの状態に対応する。
【００９６】
【表２】
2020519168.tif 000004
【００９７】
表2において、「ビット値」は、第1の指示情報のビット値を示し、「starting」は、第1のフィールドによって示される時間領域位置開始位置を示し、「ending」は、第1の指示情報によって示される時間領域終了位置を示す。例えば、第1の指示情報のビット値が1010の場合、時間領域位置の開始位置が2、時間領域終了位置が1、およびスロットアグリゲーションレベルが4、つまり4つのslotがアグリゲーションに参加することを示す。
【００９８】
あるいは、例えば、時間領域開始位置、時間領域終了位置、およびslotアグリゲーションの状態は事前定義されており、特定の使用状態は第1の指示情報によって示される。例えば、定義された状態は表3にリストされており、少なくとも1つの状態が含まれている。表3は、第1の指示情報の値と、ダウンリンクデータおよびタイムスケジューリングユニットアグリゲーションレベルが占める時間領域位置の開始位置および時間領域終了位置との間の別のマッピング関係を示す。各bit値は1つの状態に対応する。
【００９９】
【表３】
2020519168.tif 000005
【０１００】
表3において、「ビット値」は、第1の指示情報のビット値を示し、「starting」は、第1の指示情報によって示される時間領域位置開始位置を示し、「ending」は、第1の指示情報によって示される時間領域終了位置を示す。例えば、第1のフィールドのビット値が1010の場合、時間領域位置の開始位置が1、時間領域終了位置が1、およびスロットアグリゲーションレベルが4、つまり4つのslotがアグリゲーションに参加することを示す。
【０１０１】
前述の表1〜表3は単なる例であり、特定のジョイント符号化方式は、本発明の本実施形態においては限定されない。
【０１０２】
ジョイント符号化方式が使用される場合、基地局は、第1の指示情報の値と、ダウンリンクデータによって占有される時間領域位置の開始位置および時間領域終了位置と、タイムスケジューリングユニットアグリゲーションレベルとの間のマッピング関係を事前に格納してもよい。例えば、基地局は、プロトコルまたは標準の仕様に従ってマッピング関係を取得してもよく、または基地局はマッピング関係を事前に構成してもよい。この場合、ダウンリンクデータおよびタイムスケジューリングユニットアグリゲーションレベルによって占有される時間領域位置開始位置および時間領域終了位置を判定した後、基地局はマッピング関係に基づいて、ジョイント符号化を行う方法を知っている。あるいは、端末はプロトコルまたは標準を使用してマッピング関係を取得してもよいか、または基地局はシグナリングを使用してマッピング関係を端末に送信する。この場合、端末は第1の指示情報を受信した後、端末は、解析を通じて第1の指示情報のビット値を判定するため、マッピング関係に基づいて、ダウンリンクデータおよびタイムスケジューリングユニットアグリゲーションレベルが占める時間領域位置の開始位置および時間領域終了位置を学習できる。あるいは、基地局は、時間領域位置とアグリゲーションレベルを別々に示してもよい。アグリゲーションレベルは、タイムスケジューリングユニットの量を示すことにより示されてもよいし、ビットマップ（bitmap）指示方式で示されてもよい。これは本明細書において特に限定されない。
【０１０３】
「starting」の値と「ending」の値が示す意味を以下に説明する。
【０１０４】
例では、「starting」の値は、ダウンリンクデータの開始位置を示す。例えば、「starting」の値は0であり、これは、シンボル0の位置からダウンリンクデータの送信が開始されることを示し、言い換えれば、データ送信はタイムスケジューリングユニットの第1のシンボルから開始される。あるいは、「starting」の値は1であり、シンボル1の位置からダウンリンクデータの送信が開始されることを示し、言い換えれば、データ送信はタイムスケジューリングユニットの第2のシンボルから開始される。残りはこれから推測できる。
【０１０５】
あるいは、一例では、「starting」の値は、制御チャネルによって占有されるシンボルの量を示すか、またはダウンリンクデータを送信するために使用されるダウンリンクデータチャネル以外のチャネルによって占有されるシンボルの量を示してもよい。例えば、「starting」の値は0であり、制御チャネルがゼロシンボルを占有しているため、ダウンリンクデータはタイムスケジューリングユニットにおける第1のシンボルから送信および／またはマッピングされ始める。あるいは、「starting」の値は1であり、制御チャネルが1つのシンボルを占有しているため、ダウンリンクデータはタイムスケジューリングユニットにおける第2のシンボルから送信および／またはマッピングされ始める。残りはこれから推測できる。
【０１０６】
あるいは、一例では、「starting」の値は、制御チャネルの後の、ダウンリンクデータが送信され始めるシンボルの位置を示してもよい。例えば、「starting」の値は0であり、これは、制御チャネルの後の第0のシンボルの後のシンボルの位置が、ダウンリンクデータが送信され始めるシンボルの位置であり、したがってダウンリンクデータは、制御チャネルの後第1のシンボルから送信および／またはマッピングされ始めることを示す。あるいは、「starting」の値は1であり、これは、制御チャネルの後の第1のシンボルの後のシンボルの位置が、ダウンリンクデータが送信され始めるシンボルの位置であり、したがってダウンリンクデータは、制御チャネルの後第2のシンボルから送信および／またはマッピングされ始めることを示す。残りはこれから推測できる。
【０１０７】
「starting」の値が、制御チャネルによって占有されるシンボルの量を示すか、または制御チャネルの後、ダウンリンクデータが送信され始めるシンボルの位置を示すかに関わらず、ダウンリンクデータが送信され始める位置は、「starting」の値に基づいて実際に判定できる。したがって、「starting」の値は、ダウンリンクデータによって占有される時間領域位置の開始位置を示すために使用されると考えられ得る。
【０１０８】
制御チャネルの位置は、上位層シグナリングを使用して示すことができる。
【０１０９】
一例では、「ending」の値は、ダウンリンクデータが終了する位置、すなわち、ダウンリンクデータによって占有される時間領域終了位置を示し得る。例えば、「ending」の値は0であり、これは、ダウンリンクデータが終了する位置が最後のシンボルであることを示し、言い換えれば、タイムスケジューリングユニットにおいてダウンリンクデータによって占有されるシンボルは、タイムスケジューリングユニットにおける最後のシンボルを含む。あるいは、「ending」の値は−1で、最後のシンボルがダウンリンクデータの送信に使用されないことを示し、言い換えれば、タイムスケジューリングユニットにおいてダウンリンクデータによって占有されるシンボルは、タイムスケジューリングユニットにおける最後のシンボルを含まない。あるいは、「ending」の値は−2であり、最後から2番目のシンボルと最後のシンボルがダウンリンクデータの送信に使用されないことを示し、言い換えれば、タイムスケジューリングユニットにおいてダウンリンクデータによって占有されるシンボルは、タイムスケジューリングユニットにおいて最後のシンボルも最後から2番目のシンボルも含まない。残りはこれから推測できる。
【０１１０】
「starting」の特定の値の範囲は、「ending」の値の範囲と同じでもよいし、または異なっていてもよい。例えば、「stating」の値の範囲は0、1、2、および3であり、「ending」の値の範囲は0、1、および2であり、「starting」の値の範囲は1および2、「ending」の値の範囲は0、1、および2であるか、または、「starting」の値の範囲は0、1、および2であり、「ending」の値の範囲は1および2である。
【０１１１】
「starting」の値の範囲と「ending」の値の範囲は、プロトコルで事前に定義されてもよく、またはシグナリングを使用して通知されてもよく、例えば、上位層シグナリングまたは物理層情報を使用して通知されてもよい。上位層シグナリングは、例えば、RRCシグナリングまたはメディアアクセス制御（Media Access Control、MAC）シグナリングである。同じ場合、「starting」の値範囲と「ending」の値範囲の両方は1つのシグナリングを使用して示されてもよく、または「starting」の値範囲と「ending」の値範囲は異なるシグナリングを使用して別個に示されてもよい。
【０１１２】
具体的には、スロットアグリゲーションレベルの値の範囲は、プロトコルで事前に定義されてもよく、またはシグナリングを使用して通知されてもよく、例えば、上位層シグナリングまたは物理層情報を使用して通知されてもよい。
【０１１３】
上記のように、リソース構成は異なる時間領域位置を含む場合がある。以下に、リソース構成の様々な指示方法について説明する。
【０１１４】
第1の指示情報が単一のタイムスケジューリングユニットにおけるダウンリンクデータの時間領域位置を示すために使用される場合、第1の指示情報に含まれる時間領域位置の1つの開始位置は1つのタイムスケジューリングユニットにおけるダウンリンクデータの開始位置を示すために使用され、第1の指示情報に含まれる1つの時間領域終了位置は、タイムスケジューリングユニットにおけるダウンリンクデータの終了位置を示すために使用される。その量が基地局によってスケジュールされたアグリゲーションレベルによって表されるタイムスケジューリングユニットの量に関係なく、各スケジュールされたタイムスケジューリングユニットにおけるダウンリンクデータの開始位置は、第1の指示情報に含まれる時間領域位置の1つの開始位置を使用して示され、各スケジュールされたタイムスケジューリングユニットにおけるダウンリンクデータの終了位置は、第1の指示情報に含まれる1つの時間領域終了位置によって示される。
【０１１５】
例えば、タイムスケジューリングユニットはslotであり、アグリゲーションレベルは4であり、「starting」および「ending」の値は（1，−1）に設定され、「starting」の値はダウンリンクデータが第2のシンボルから開始し、そして「ending」の値は、ダウンリンクデータが最後から2番目のシンボルで終了することを意味する。この場合、4つのslotのそれぞれで、ダウンリンクデータが第2のシンボルから始まり、最後から2番目のシンボルで終了することを示す。図5が参照されてもよい。図5において、PDSCHはダウンリンクデータを送信するために使用され、斜線で描かれた部分は制御チャネルであるPDCCHを示し、矢印はダウンリンクデータが始まる位置を示す。言い換えれば、PDSCHは4つのslotにおいて同じ時間領域位置を占有する。
【０１１６】
ダウンリンクデータがすべてのタイムスケジューリングユニットで同じ時間領域位置を占有している場合、この指示方法は比較的適用可能であることが分かる。この指示方法では、すべてのタイムスケジューリングユニットにおける時間領域占有状態を別個に指示でき、シグナリングオーバヘッドは効果的に削減され得る。あるいは、シグナリングオーバヘッドを減らすために、ダウンリンクデータがアグリゲーションに参加しているタイムスケジューリングユニットにおいて異なる時間領域位置を占有している場合、基地局はすべてのタイムスケジューリングユニットにおいてダウンリンクデータによって占有される時間領域位置の交差セットを示すことを選択してもよい。例えば、タイムスケジューリングユニットはslotであり、アグリゲーションレベルは4であり、第1のslotにおいてダウンリンクデータによって占有される時間領域位置は第2のシンボルから始まり、最後から2番目のシンボルで終わり、第2のslotにおいてダウンリンクデータによって占有される時間領域位置は、第3のシンボルから始まり、最後から2番目のシンボルで終わり、第3のslotにおいてダウンリンクデータによって占有される時間領域位置は、第3のシンボルから始まり、最後から2番目のシンボルで終わり、第4のslotにおいてダウンリンクデータによって占有される時間領域位置は、第2のシンボルから始まり、最後から2番目のシンボルで終わり、第5のslotにおいてダウンリンクデータによって占有される時間領域位置は、第2のシンボルから始まり最後から2番目のシンボルで終わる。この場合、1つの時間領域位置を示すために、基地局は、「starting」の値を使用してダウンリンクデータが第3のシンボルから始まることを示し、「ending」の値を使用してダウンリンクデータが最後から2番目のシンボルで終了することを示すと判定してもよい。いくつかのシンボルを破棄することにより、指示のためのシグナリングオーバヘッドを削減できる。
【０１１７】
あるいは、第1の指示情報が、その量がアグリゲーションレベルで表されるすべてのタイムスケジューリングユニットにおける時間領域位置を示すために使用される場合、第1の指示情報に含まれる時間領域位置の1つの開始位置は、その量がアグリゲーションレベルによって表される1つまたは複数のタイムスケジューリングユニットに含まれかつ時間的に第1にランク付けされるタイムスケジューリングユニットにおけるダウンリンクデータの開始位置を示すために使用され、第1の指示情報に含まれる1つの時間領域終了位置は、その量がアグリゲーションレベルによって表される1つまたは複数のタイムスケジューリングユニットに含まれる最後のタイムスケジューリングユニットにおけるダウンリンクデータの終了位置を示すために使用される。
【０１１８】
この指示方法では、ダウンリンクデータが異なるタイムスケジューリングユニットにおいて異なる時間領域位置を占有している場合でも、異なるタイムスケジューリングユニットにおけるスケジューリング状態を示すことができることが分かる。この方法は比較的柔軟である。
【０１１９】
リソース構成が、その量がアグリゲーションレベルによって表されるすべてのタイムスケジューリングユニットにおける時間領域位置を含むか、または単一のタイムスケジューリングユニットにおける時間領域位置を含むかに関わらず、この方法で、すべてのタイムスケジューリングユニットにおけるスケジューリング状態を別個に示すことなく、1つの時間領域位置を使用して、すべてのタイムスケジューリングユニットにおけるスケジューリング状態を示すことができる。これにより、シグナリングオーバヘッドを効果的に削減できる。
【０１２０】
当然、第1の指示情報は、各タイムスケジューリングユニットにおける時間領域位置を示すために代替的に使用されてもよい。この場合、第1の指示情報に含まれる複数の時間領域開始位置は、その量がアグリゲーションレベルによって表されるすべてのタイムスケジューリングユニットにおけるダウンリンクデータの開始位置をそれぞれ示すために使用され、第1の指示情報に含まれる複数の時間領域終了位置は、その量がアグリゲーションレベルによって表されるすべてのタイムスケジューリングユニットにおけるダウンリンクデータの終了位置をそれぞれ示すために使用される。異なるタイムスケジューリングユニットにおける時間領域位置が異なる場合、異なるタイムスケジューリングユニットにおける時間領域位置は、この指示方法でより柔軟に示される。
【０１２１】
方法2：第1の指示情報によって示される時間領域位置は、ダウンリンクデータによって占有される時間領域位置の開始位置と、ダウンリンクデータによって占有される指示ユニットの量とを含む。指示ユニットは、第1の指示情報で使用される時間領域粒度であり、占有された指示ユニットの量は、ダウンリンクデータの期間として理解でき、時間領域位置の開始位置と持続時間を知ることは、時間領域位置の開始位置と時間領域終了位置とを知ることに相当する。
【０１２２】
第1の指示情報が単一のタイムスケジューリングユニットで時間領域位置を示すために使用される場合、またはその量がアグリゲーションレベルで表されるすべてのタイムスケジューリングユニットで時間領域位置を示すために使用される場合、第1の指示情報は、時間領域位置の1つの開始位置および1つの量とを含む。例えば、第1の指示情報が、第1の指示情報を使用して単一のタイムスケジューリングユニットにおける時間領域位置、またはすべてのタイムスケジューリングユニットにおける時間領域位置を示す場合、第1のフィールドは時間領域位置の1つの開始位置および1つの量を含む。代替的に、第1の指示情報が、その量がアグリゲーションレベルによって表される1つまたは複数のタイムスケジューリングユニットに含まれる各タイムスケジューリングユニットにおける時間領域位置を示すために使用される場合、第1の指示情報は、複数の時間領域開始位置および複数の量を含む。例えば、第1の指示情報が、第1のフィールドを使用することにより各タイムスケジューリングユニットにおける時間領域位置を示す場合、第1のフィールドは、複数の時間領域開始位置および複数の量を含み、第1のフィールドに含まれる時間領域開始位置の量は、第1のフィールドに含まれる指示ユニットの量と同じであり、両方の量はアグリゲーションレベルの値に等しい。
【０１２３】
第1の指示情報が単一のタイムスケジューリングユニットにおける時間領域位置を示すために使用される場合、第1の指示情報に含まれる時間領域位置の1つの開始位置は1つのタイムスケジューリングユニットにおけるダウンリンクデータの開始位置を示すために使用され、第1の指示情報に含まれる1つの量は、タイムスケジューリングユニットにおけるダウンリンクデータによって占有される指示ユニットの量を示すために使用される。その量が基地局によってスケジュールされたアグリゲーションレベルによって表されるタイムスケジューリングユニットの量に関係なく、各スケジュールされたタイムスケジューリングユニットにおけるダウンリンクデータの開始位置は、第1の指示情報によって示される時間領域位置の開始位置であり、各スケジュールされたタイムスケジューリングユニットにおけるダウンリンクデータによって占有される指示ユニットの量は、第1の指示情報によって示される持続時間である。例えば、タイムスケジューリングユニットがslotであり、指示ユニットがシンボルであり、1つのslotが7つのシンボルを含む場合、slot内の番号xシンボルから送信が開始され、slot内でN個のシンボルが占有されることが示されてもよい。Xの値は0、1、2、3、4、5、または6であり、Nは7以下かつ0以上の整数である。
【０１２４】
あるいは、第1の指示情報が、その量がアグリゲーションレベルで表されるすべてのタイムスケジューリングユニットにおける時間領域位置を示すために使用される場合、第1の指示情報に含まれる時間領域位置の1つの開始位置は、その量がアグリゲーションレベルによって表される1つまたは複数のタイムスケジューリングユニットに含まれかつ時間的に第1にランク付けされるタイムスケジューリングユニットにおけるダウンリンクデータの開始位置を示すために使用され、第1の指示情報に含まれる占有された指示ユニットの量は、その量がアグリゲーションレベルによって表されるすべてのタイムスケジューリングユニットにおけるダウンリンクデータによって占有された指示ユニットの合計量を示すために使用される。
【０１２５】
加えて、第1の指示情報は、アグリゲーションレベルを示すためにさらに使用され得る。方法1に説明したように、基地局は、ダウンリンクデータによって占有される時間領域位置の開始位置および時間領域終了位置と、ジョイント符号化によるタイムスケジューリングユニットアグリゲーションレベルを示すことができる。同様に、基地局はまた、ダウンリンクデータによって占有される時間領域位置の開始位置、ダウンリンクデータによって占有される指示ユニットの量、およびジョイント符号化によるタイムスケジューリングユニットのアグリゲーションレベルを示し得る。特定のジョイント符号化方法、特定の指示方法などについては、方法1の説明を参照されたい。詳細は本明細書では説明しない。
【０１２６】
あるいは、基地局は、時間領域位置とアグリゲーションレベルを別々に示してもよい。アグリゲーションレベルは、タイムスケジューリングユニットの量を示すことにより示されてもよいし、bitmap指示方式で示されてもよい。これは本明細書において特に限定されない。
【０１２７】
占有された指示ユニットの量が指示に使用される方法は、タイムスケジューリングユニットが連続的であり、タイムスケジューリングユニットにおけるダウンリンクデータによって占有される時間領域位置もまた連続的である場合により当てはまる。このようにして、不連続性に起因する指示の逸脱を可能な限り回避できる。
【０１２８】
リソース構成が、その量がアグリゲーションレベルによって表されるすべてのタイムスケジューリングユニットにおける時間領域位置を含むか、または単一のタイムスケジューリングユニットにおける時間領域位置を含むかに関わらず、この方法で、すべてのタイムスケジューリングユニットにおけるスケジューリング状態を別個に示すことなく、1つの時間領域位置を使用して、すべてのタイムスケジューリングユニットにおけるスケジューリング状態を示すことができる。これにより、シグナリングオーバヘッドを効果的に削減できる。
【０１２９】
当然、第1の指示情報は、各タイムスケジューリングユニットにおける時間領域位置を示すために代替的に使用されてもよい。この場合、第1の指示情報に含まれる複数の時間領域開始位置は、その量がアグリゲーションレベルによって表されるすべてのタイムスケジューリングユニットにおけるダウンリンクデータの開始位置をそれぞれ示すために使用され、第1の指示情報に含まれる複数の量は、その量がアグリゲーションレベルによって表されるすべてのタイムスケジューリングユニットにおけるダウンリンクデータによって占有される指示ユニットの量をそれぞれ示すために使用される。異なるタイムスケジューリングユニットにおける時間領域位置が異なる場合、異なるタイムスケジューリングユニットにおける時間領域位置は、この指示方法でより柔軟に示される。
【０１３０】
方法3：第1の指示情報によって示される時間領域位置は、単一のタイムスケジューリングユニットに含まれるシンボルのbitmapを含むか、または単一のタイムスケジューリングユニットに含まれる指示ユニットのbitmapを含むか、あるいは、複数のタイムスケジューリングユニットのそれぞれに含まれるシンボルのbitmapを含むか、または複数のタイムスケジューリングユニットのそれぞれに含まれる指示ユニットのbitmapを含む。シンボルのbitmapまたは指示ユニットのbitmapは、ダウンリンクデータによって占有される時間領域位置を示すために使用される。時間領域位置およびアグリゲーションレベルは、ジョイント符号化によって示されてもよい。あるいは、時間領域位置とアグリゲーションレベルを別個に示すこともできる。アグリゲーションレベルは、タイムスケジューリングユニットの量を示すことにより示されてもよいし、ビットマップ（bitmap）指示方式で示されてもよい。これは本明細書において特に限定されない。
【０１３１】
方法4が使用される場合、第1の指示情報によって示される時間領域位置が、単一のタイムスケジューリングユニットに含まれるシンボルのbitmapを含むか、または単一のタイムスケジューリングユニットに含まれる指示ユニットのbitmapを含む場合、単一のタイムスケジューリングユニットにおける時間領域リソースは、その量がアグリゲーションレベルによって表される1つまたは複数のタイムスケジューリングユニットの各タイムスケジューリングユニットに対して有効である。時間領域位置およびアグリゲーションレベルは、ジョイント符号化によって示されてもよい。あるいは、時間領域位置とアグリゲーションレベルを別個に示すこともできる。アグリゲーションレベルは、タイムスケジューリングユニットの量を示すことにより示されてもよいし、ビットマップ指示方式で示されてもよい。これは本明細書において特に限定されない。
【０１３２】
例えば、タイムスケジューリングユニットがslotであり、指示ユニットが1つのシンボルであり、1つのslotが7つのシンボルを含む場合、第1の指示情報は、7ビット（bit）を使用することによって、1つのタイムスケジューリングユニットにおけるダウンリンクデータによって占有される時間領域位置を示してもよい。言い換えれば、1つのタイムスケジューリングユニットにおいてダウンリンクデータによって占有される時間領域位置は、7bitの値を使用することにより示されてもよい。例えば、7bitでは、bitの値が0の場合、bitによって示される1つのシンボルがダウンリンクデータの送信に使用され得ることを示し、bitの値が1の場合、bitによって示される1つのシンボルがダウンリンクデータの送信に使用できないことを示すか、または、bitの値が0の場合、bitによって示される1つのシンボルがダウンリンクデータの送信に使用できないことを示し、bitの値が1である場合、bitによって示される1つのシンボルをダウンリンクデータの送信に使用され得ることを示す。アグリゲーションに参加する各slotにおけるダウンリンクデータによって占有される時間領域位置は、すべてのslotにおける時間領域位置を別個に示すことなく、7bitを使用することによって示すことができるため、シグナリングオーバヘッドを効果的に削減できる。加えて、このビットマップ指示方式では、タイムスケジューリングユニットにおけるダウンリンクデータによって占有される時間領域位置を直感的に示すことができる。これは比較的単純で明確である。
【０１３３】
あるいは、例えば、タイムスケジューリングユニットがサブフレームであり、1つのサブフレームが14個のシンボルを含み、指示ユニットが2つのシンボルである場合、第1のフィールドは、単一のタイムスケジューリングユニットにおけるダウンリンクデータによって占有される時間領域位置を7ビット（bit）を使用することによって示すことができる。言い換えれば、1つのタイムスケジューリングユニットにおいてダウンリンクデータによって占有される時間領域位置は、7bitの値を使用することにより示されてもよい。例えば、7bitでは、bitの値が0の場合、bitによって示される2つのシンボルがダウンリンクデータの送信に使用され得ることを示し、bitの値が1の場合、bitによって示される2つのシンボルがダウンリンクデータの送信に使用できないことを示すか、または、bitの値が0の場合、bitによって示される2つのシンボルがダウンリンクデータの送信に使用できないことを示し、bitの値が1である場合、bitによって示される2つのシンボルをダウンリンクデータの送信に使用され得ることを示す。タイムスケジューリングユニットがサブフレームである場合、シンボルの値マップが指示に使用されるとき、1つのタイムスケジューリングユニットにおいてダウンリンクデータによって占有される時間領域位置を示すために14bitが必要とされることが分かる。この場合、指示ユニットの長さがシンボルの長さよりも大きい場合、指示ユニットの値マップが指示に使用される。明らかに、これはシグナリングオーバヘッドをさらに削減できる。
【０１３４】
あるいは、第1の指示情報によって示される時間領域位置が、複数のタイムスケジューリングユニットに含まれるシンボルのbitmapまたは複数のタイムスケジューリングユニットに含まれる指示ユニットのbitmapを含む場合、第1の指示情報は複数のbitmapを含んでもよく、bitmapはその量がアグリゲーションレベルによって表されるタイムスケジューリングユニットと1対1で対応している。この指示方法は比較的直接的であるため、端末は異なるタイムスケジューリングユニットにおける時間領域位置を直接判定できる。加えて、異なるタイムスケジューリングユニットにおける時間領域位置が異なる場合、異なるタイムスケジューリングユニットにおける時間領域位置は、この指示方法でより柔軟に示される。
【０１３５】
上記は指示ユニットの概念を説明し、以下は指示ユニットをさらに説明する。
【０１３６】
任意選択で、第1の指示情報が時間領域位置を示すために使用されるときに使用される指示ユニットの長さは、ダウンリンクデータを送信するための複数の最小時間領域ユニットの長さであり得る。言い換えれば、指示ユニットは、複数のシンボルであってもよい。この場合、第1の指示情報は、比較的低いオーバヘッドを使用して、比較的大きい時間領域範囲を示すことができる。これにより、シグナリングオーバヘッドを効果的に削減できる。
【０１３７】
基地局の場合、指示ユニットは、データ送信のためのフレーム構造パラメータnumerologyに基づいて判定されてもよい。指示ユニットに含まれるシンボルの量は、numerologyに基づいて判定されてもよい。例えば、15kHzのサブキャリア間隔での時間領域の粒度は1シンボル、30kHzのサブキャリア間隔での時間領域の粒度は2シンボル、60kHzのサブキャリア間隔での時間領域の粒度は4シンボルである。時間領域位置を端末に示す場合、基地局は、シグナリングオーバヘッドを削減するために、指示ユニットによって示された記号意味を使用して時間領域位置を示すことができる。例えば、15kHzのサブキャリア間隔でのシンボル長は、基本ユニットとして使用される。例えば、基地局が全二重化の対象ではない場合、通信方向、すなわちアップリンク／ダウンリンクは、異なる周波数帯域に対応するnumerologyに対応する同じ時間で一貫している。指示ユニットが選択されているとき、最小サブキャリア間隔に対応するシンボル長が指示ユニットとして使用される。これは、シグナリングオーバヘッドを削減できる。例えば、15kHzのサブキャリア間隔に対応するシンボル長が指示ユニットとして使用され、例えば、1つの指示ユニットが指示される。30kHzのサブキャリア間隔が実際に使用される場合、端末は2つのシンボルが実際に示されていること、つまり1bitを使用して2つのシンボルを示すことができることを知っている。したがって、シグナリングオーバヘッドを削減できる。
【０１３８】
基地局に加えて、端末はまた指示ユニットを判定する必要がある。この方法でのみ、端末は第1の指示情報に基づいて時間領域位置を判定できる。端末による指示ユニットの判定は、以下のいくつかの方法を含むが、これらに限定されない。
【０１３９】
端末は、システムのデフォルト構成またはプロトコル仕様に従って指示ユニットを判定する。システムのデフォルト構成またはプロトコル仕様は、様々な形式であってもよい。例えば、プロトコルは、指示ユニットによって参照されるフレーム構造パラメータを指定してもよく、フレーム構造パラメータは特定のサブキャリア間隔として理解されてもよい。例えば、プロトコルが、指示ユニットによって参照されるフレーム構造パラメータが15kHzのサブキャリア間隔であることを指定する場合、端末は、指示ユニットの長さが15kHzのサブキャリア間隔に対応するシンボル長であると判定できる。あるいは、プロトコルは、指示ユニットに含まれるシンボルの量を直接指定してもよい。例えば、指示ユニットが2つのシンボルを含むことをプロトコルが指定する場合、端末は、ダウンリンクデータのフレーム構造パラメータに基づいて指示ユニットの長さを知っている。
【０１４０】
あるいは、基地局は、シグナリングを使用することにより、指示ユニットの長さを端末に通知する。例えば、基地局は、第2の指示情報を端末に送信し、第2の指示情報は、端末に指示ユニットの長さを通知するために使用される。基地局はまた、様々な通知フォームを有してもよい。例えば、基地局は、指示ユニットによって参照されるフレーム構造パラメータを端末に通知する。例えば、第2の指示情報が、指示ユニットによって参照されるフレーム構造パラメータが15kHzのサブキャリア間隔であることを指定するために使用される場合、第2の指示情報を受信した後、端末は、指示ユニットの長さが15kHzのサブキャリア間隔に対応するシンボル長であると判定できる。この場合、端末は、ダウンリンクデータのフレーム構造パラメータに基づいて指示ユニットの長さを知っている。例えば、ダウンリンクデータのフレーム構造パラメータが15kHzのサブキャリア間隔である場合、指示ユニットは1シンボルであり、ダウンリンクデータのフレーム構造パラメータが30kHzのサブキャリア間隔である場合、指示ユニットは2つのシンボルである。あるいは、基地局は、指示ユニットに含まれるシンボルの量を端末に直接通知してもよい。例えば、第2の指示情報が端末に指示ユニットが2つのシンボルを含むことを通知するために使用される場合、端末は第2の指示情報に基づいて指示ユニットの長さを知る。第1の指示情報および第2の指示情報は、同じ指示情報であってもよいし、または1つのシグナリングに含まれる異なるフィールドであってもよいし、または異なるシグナリングを使用して送信される情報であってもよい。これは、本発明の本実施形態においては限定されない。
【０１４１】
例えば、第1の指示情報の値については、表1から表3のいずれかを参照されたい。第1の指示情報の2つの最上位ビットの値が01である場合、それはダウンリンクデータが第2の指示ユニットによって指示されたシンボルから送信され始めることを示す。この場合、指示ユニットが1つのシンボルである場合、それはダウンリンクデータが第2のシンボルから送信され始めることを示す。指示ユニットが2つのシンボルである場合、それはダウンリンクデータが第2の指示ユニットから送信され始めることを示し、つまり、ダウンリンクデータが第3のシンボルから送信され始めることを示す。残りはこれから推測できる。
【０１４２】
例えば、第1の指示情報は、時間領域位置の開始位置および時間領域終了位置を使用することにより、単一のタイムスケジューリングユニットにおいてダウンリンクデータによって占有される時間領域位置を示す。例えば、時間領域位置の開始位置が1である場合、時間領域位置の開始位置は、ダウンリンクデータが第2の指示ユニットによって指示されたシンボルから送信され始めることを意味する。この場合、指示ユニットが1つのシンボルである場合、それはダウンリンクデータが第2のシンボルから送信され始めることを示す。指示ユニットが2つのシンボルである場合、それはダウンリンクデータが第2の指示ユニットから送信され始めることを示し、つまり、ダウンリンクデータが第3のシンボルから送信され始めることを示す。残りはこれから推測できる。
【０１４３】
例えば、第1の指示情報は、単一のタイムスケジューリングユニットにおけるダウンリンクデータによって占有される時間領域位置をbitmap方式で示す。例えば、タイムスケジューリングユニットがslotであり、1つのslotが7つのシンボルを含む場合、第1の指示情報は、7bitを使用することによって、1つのタイムスケジューリングユニットにおけるダウンリンクデータによって占有される時間領域位置を示す。例えば、第1の指示情報に含まれる7bitの値が1100101である場合、各bitは、1つの指示ユニットにおけるシンボルの量を示す。指示ユニットが1つのシンボルの場合、1bitは1つのシンボルを示す。指示ユニットが2つのシンボルの場合、1bitは2つのシンボルを示す。残りはこれから推測できる。
【０１４４】
例えば、第1のフィールドにより示されるリソース構成は、ダウンリンクデータによって占有される時間領域位置の開始位置と、ダウンリンクデータによって占有される指示ユニットの量とを含む。例えば、ダウンリンクデータが第2の指示ユニットから送信され始めた場合、指示ユニットが1つのシンボルであるとき、それはダウンリンクデータが第2のシンボルから送信され始めることを示す。指示ユニットが2つのシンボルである場合、それはダウンリンクデータが第2の指示ユニットから送信され始めることを示し、つまり、ダウンリンクデータが第3のシンボルから送信され始めることを示す。残りはこれから推測できる。
【０１４５】
また、例えば、タイムスケジューリングユニットがslotであり、集約に参加しているslotが属するサブフレームのタイプが自己完結型（self-contained）の場合、slotはガード期間（guard band、GP）を含む。GPがまたダウンリンクデータを送信するために使用できる場合、ダウンリンクデータ送信用のリソースが増加され、それによりリソース利用を改善することができる。以下に、GPを使用してダウンリンクデータを送信できるか否かを判定する方法を説明する。
【０１４６】
例えば、15kHzのサブキャリア間隔での1つのシンボルはGPであり、GPは30kHzのサブキャリア間隔での2つのシンボルの長さに対応する。30kHzのサブキャリア間隔での2つのシンボルは、15kHzのサブキャリア間隔でGPとして使用される1つのシンボルに相当する。この場合、30kHzの2つのシンボルは次のように処理される。
【０１４７】
まず、GPとして使用されるシンボルの位置が判定される必要がある。
【０１４８】
一例では、所定の方法が使用されてもよい。例えば、ダウンリンクデータによって占有される最後のシンボルの後の次のシンボルがGPの位置であると判定される場合、端末は事前定義に従ってGPの位置を判定できる。あるいは、別の例では、基地局は、シグナリングを使用することにより、GPの位置を端末に通知してもよい。例えば、基地局は、物理層シグナリングまたは上位層シグナリングを使用して、GPの位置を端末に通知する。
【０１４９】
次に、GPリソースの割り当て方法が判定される必要がある。
【０１５０】
一例では、基地局は、所定の方法で、またはプロトコルで指定された方法で、GPリソースが割り当てられる方法を判定することができる。
【０１５１】
例えば、プロトコルは、別のサブキャリア間隔について、15kHzのサブキャリア間隔に対応するGPの位置に対応する位置もまたGPであることを指定する。例えば、15kHzのサブキャリア間隔での1つのシンボルはGPであり、GPは30kHzのサブキャリア間隔での2つのシンボルに対応する。この場合、30kHzの2つのシンボルはGPである。
【０１５２】
あるいは、例えば、プロトコルは、別のサブキャリア間隔について、15kHzのサブキャリア間隔に対応するGPの位置に対応するシンボルでは、最後のシンボルのみがGPであり、最後のシンボルより前のすべてのシンボルがダウンリンクデータの送信に使用されると指定する。例えば、15kHzのサブキャリア間隔での1つのシンボルはGPであり、GPは30kHzのサブキャリア間隔での2つのシンボルに対応する。この場合、30kHzの2つのシンボルでは、最後のシンボルがGPとして使用され、最後のシンボルの前の1つのシンボルがダウンリンクデータの送信に使用される。
【０１５３】
あるいは、例えば、プロトコルは、15kHzのサブキャリア間隔に対応するGPの位置に対応するシンボルでは、他の異なるサブキャリア間隔に対して、異なるシンボルがGPとして使用され得ると指定する。例えば、15kHzのサブキャリア間隔の1つのシンボルはGPであり、GPは30kHzのサブキャリア間隔の2つのシンボルに対応し、かつ60kHzのサブキャリア間隔の4つのシンボルに対応する。30kHzの2つのシンボルでは、最後のシンボルがGPであり、最後のシンボルの前の1つのシンボルがダウンリンクデータの送信に使用され、60kHzの4つのシンボルでは、最初の2つのシンボルがダウンリンクデータの送信に使用され、第3のシンボルがGPとして使用され、最後のシンボルがアップリンク送信に使用されるなどである。
【０１５４】
基地局は、シグナリングを使用して、特定のGPリソース割り当て方法を端末に示すことができる。例えば、基地局は、GPリソース割り当て方法を示す情報を端末に送信し、GPリソース割り当て方法を示す情報は、1bitまたは2bitを使用して示される。この場合、GPリソース割り当て方法を示す情報を受信した後、端末はGPリソースの割り当て方法を知る。あるいは、端末は、事前定義された方法で、またはプロトコルで指定された方法で、GPリソース割り当て方法を直接判定してもよい。GPリソース割り当て方法を示す情報は、第1の指示情報で運ばれ、第1の指示情報と共に送信されてもよいか、またはGPリソース割り当て方法を示す情報および第1の指示情報が1つのシグナリングにおける異なるフィールドとして使用される方法で送信されてもよいか、または、第1の指示情報の送信に使用されるシグナリングとは異なるシグナリングを使用して送信されてもよい。これは、本発明の本実施形態においては限定されない。
【０１５５】
上記は、第1の指示情報がダウンリンクデータによって占有される時間領域位置を示す方法を説明している。NRシステムでは、ダウンリンクデータチャネルは、時間領域で動的に変化するシンボルを占有し、周波数領域で帯域幅全体を占有するのではなく、部分的な帯域幅を占有するだけである。したがって、ダウンリンクデータの位置をより正確に判定するために、時間領域位置に加えて周波数領域位置が判定されてもよい。これを考慮して、本発明の本実施形態では、第1の指示情報は、時間領域リソース構成に加えて周波数領域リソース構成を示してもよい。言い換えれば、第1の指示情報は、ダウンリンクデータによって占有される時間領域位置に加えて、ダウンリンクデータによって占有される周波数領域位置を示してもよい。以下に説明を示す。
【０１５６】
例えば、第1の指示情報が第1のフィールドを使用して時間領域位置を示す場合、第1の指示情報は第2のフィールドをさらに含み、第2のフィールドはダウンリンクデータによって占有される周波数領域位置を示すために使用され得る。本発明の本実施形態では、第2のフィールドは第1のフィールドに対応する。例えば、第1の指示情報は、複数の第1のフィールドおよび複数の第2のフィールドを含むことができ、各第1のフィールドは1つの第2のフィールドに対応する。本発明の本実施形態では、第1のフィールドおよび第2フィールドの形態は限定されない。
【０１５７】
一例では、第1のフィールドと第2のフィールドは別個のフィールドである。例えば、M個の別個の第1のフィールドとM個の別個の第2のフィールドがあり、M個の第1のフィールドはM個の第2のフィールドと1対1で対応し、Mは正の整数である。例えば、図6は、slotでのダウンリンクデータ送信の概略図である。このslotでは、ダウンリンクデータは周波数領域において様々な位置を占有し、また時間領域において様々なシンボルを占有する。例えば、第2のフィールド1は、ダウンリンクデータの周波数領域位置が周波数帯域1であることを示すために使用され、第1のフィールド1は第2のフィールド1に対応し、かつ周波数帯域1で送信されたダウンリンクデータ、すなわちPDSCHが時間領域において番号ゼロのシンボルから番号6のシンボルを占有することを示すために使用される。第2のフィールド2は、ダウンリンクデータの周波数領域の位置が周波数帯域2であることを示すために使用され、第1のフィールド2は第2のフィールド2に対応し、また周波数帯域2で送信されたダウンリンクデータ、すなわちPDSCHが時間領域において番号1のシンボルから番号7のシンボルを占有することを示すために使用され、そして制御情報、つまりPDCCHは第1のシンボルにおいて送信される。
【０１５８】
別の例では、第1のフィールドおよび第2のフィールドが一緒に示される。例えば、ある方法では、第2のフィールドは第1のフィールドを含む。例えば、第2のフィールド1は第1のフィールド1を含み、第2のフィールド2は第1のフィールド2を含む。この場合、第1のフィールド1は第2のフィールド1に対応し、第1のフィールド2は第2のフィールド2に対応する。あるいは、別の方法では、第1のフィールドは第2のフィールドを含む。例えば、第1のフィールド1は第2のフィールド1を含み、第1のフィールド2は第2のフィールド2を含む。この場合、第1のフィールド1は第2のフィールド1に対応し、第1のフィールド2は第2のフィールド2に対応する。図7を参照すると、例えば、異なる時間領域位置が異なる周波数領域位置に対応することを考慮して、時間領域位置が示されるときに、時間領域位置に対応する周波数領域位置が示されてもよいか、または、異なる周波数領域位置が異なる時間領域位置に対応することを考慮して、周波数領域位置が示されるときに、周波数領域位置に対応する時間領域位置が示されてもよい。ジョイント指示を通じて、制御チャネルおよびデータチャネルを動的に多重化して、リソースの浪費を回避できる。図7において、斜線で描かれた部分はPDCCHを示し、水平線で描かれた部分はPDSCHを示す。
【０１５９】
第1のフィールドと第2のフィールドが別々に示されるか、一緒に示されるかは、プロトコルで指定されるか、または基地局と端末によって事前に交渉することができる。
【０１６０】
本発明の本実施形態では、第2のフィールドによって示される周波数領域粒度は、帯域幅部分（bandwidth part、BP）、ミニ帯域幅部分（mini-BP）、リソースブロックグループ（Resource Block Group、RBG）、またはリソースブロック（Resource Block、RB）などの周波数領域リソーススケジューリングユニットであり得る。
【０１６１】
さらに、基地局は、ダウンリンクデータ用のマッピング規則を端末にさらに示してもよい。マッピング規則は、マッピング中に、周波数領域マッピングが時間領域マッピングの前にダウンリンクデータに対して実行されるか、または時間領域マッピングが周波数領域マッピングの前にダウンリンクデータに対して実行されるかを示すために使用される。確かに、基地局は、ダウンリンクデータ用のマッピング規則を端末に直接示すことを選択してもよい。例えば、基地局は、マッピング規則を示すために使用される第3の指示情報を端末に送信し、したがって、端末は、第3の指示情報を受信した後、マッピング規則を知っている。例えば、第3の指示情報は、ダウンリンク制御情報（Downlink Control Information、DCI）を使用して送信される。例えば、DCIでは、1bitが第3の指示情報として使用される。1bitの値が0の場合、マッピング中に、周波数領域マッピングの前に時間領域マッピングがダウンリンクデータに対して実行されることを示す。1bitの値が1の場合、マッピング中に、時間領域マッピングの前に周波数領域マッピングがダウンリンクデータに対して実行されることを示す。確かに、その逆も同様である。
【０１６２】
基地局はマッピング規則を選択し、端末にマッピング規則を通知し、これにより、データをより良く送信および受信することができ、基地局と端末における実装の複雑さが軽減され、送信パフォーマンスを改善する。
【０１６３】
あるいは、基地局はマッピング規則を端末に特別に示す必要がなく、端末は、ダウンリンクデータに割り当てられている時間領域リソースおよび周波数領域リソースの特性に基づいてマッピング規則を判定できる。この方法が使用される場合、端末と基地局は同じ方法でマッピング規則を判定する必要がある。
【０１６４】
例えば、ダウンリンクデータが時間領域で不連続な位置を占有している場合、基地局はマッピング中に、時間領域マッピングの前に周波数領域マッピングをダウンリンクデータに対して実行でき、端末もまたデフォルトでこのマッピング規則に同意する。図8Aおよび図8Bが参照されてもよい。図8Aおよび図8Bの斜線の部分は、それぞれ制御チャネルによって占有される位置を示している。図8Aおよび図8Bの両方において、時間領域マッピングの前に周波数領域マッピングがダウンリンクデータに対して実行される。
【０１６５】
あるいは、ダウンリンクデータが周波数領域で不連続な位置を占有している場合、基地局はマッピング中に、周波数領域マッピングの前に時間領域マッピングをダウンリンクデータに対して実行でき、端末もまたデフォルトでこのマッピング規則に同意する。図8Cおよび図8Dが参照されてもよい。図8Cおよび図8Dの斜線の部分は、それぞれ制御チャネルによって占有される位置を示している。図8Cおよび図8Dの両方において、周波数領域マッピングの前に時間領域マッピングがダウンリンクデータに対して実行される。
【０１６６】
このようにして、リソースマッピングの連続性を可能な限り保証し、基地局および端末の実装の複雑さを軽減するために、不連続なリソースマッピング位置を減らすことができる。
【０１６７】
あるいは、図8Aおよび図8Bのデータ送信の場合、つまり、基地局が端末にデータを送信するために一部のシンボルを使用できず、端末がシンボルを知らない場合、端末は周波数領域マッピングの前に、データに対して時間領域マッピングの実行を検討できる。このように、データの送信に使用できない中間のリソースから破壊されたデータは不連続であるため、端末の大量の連続データ受信エラーが回避され、データ受信パフォーマンスを改善する。
【０１６８】
あるいは、図8Cおよび図8Dのデータ送信の場合、つまり、基地局が端末にデータを送信するために一部の周波数帯域を使用できず、端末が周波数帯域を知らない場合、端末は時間領域マッピングの前に、データに対して周波数領域マッピングの実行を検討できる。このように、データの送信に使用できない中間のリソースから破壊されたデータは不連続であるため、端末の大量の連続データ受信エラーが回避され、データ受信パフォーマンスを改善する。
【０１６９】
S42．基地局は第1の指示情報を端末に送信し、端末は第1の指示情報を受信する。
【０１７０】
基地局は、上位層のシグナリングまたは物理層のシグナリングを使用することにより、第1の指示情報を端末に送信してもよい。上位層シグナリングは、例えば、無線リソース制御（Radio Resource Control、RRC）シグナリングであり、物理層のシグナリングは、例えばDCIである。
【０１７１】
S43．端末は、第1の指示情報に基づいて、ダウンリンクデータによって占有される時間領域位置を判定する。
【０１７２】
第1の指示情報によって示されるリソース構成が単一のタイムスケジューリングユニットにおける時間領域位置を含む場合、第1の指示情報を受信した後、端末は、単一のタイムスケジューリングユニットにおける時間領域リソースがその量がアグリゲーションレベルによって表される1つまたは複数のタイムスケジューリングユニットの各タイムスケジューリングユニットに対して有効であると判定する。端末は、単一のタイムスケジューリングユニットの時間領域位置に基づいて、各タイムスケジューリングユニットにおける時間領域位置を判定できることに相当する。
【０１７３】
代替として、第1の指示情報によって示されるリソース構成が、すべてのタイムスケジューリングユニットにおける時間領域位置を含む場合、第1の指示情報を受信した後、端末は、すべてのタイムスケジューリングユニットにおける時間領域位置を判定してもよい。
【０１７４】
代替として、第1の指示情報によって示されるリソース構成が、各タイムスケジューリングユニットにおける時間領域位置を含む場合、第1の指示情報を受信した後、端末は、各タイムスケジューリングユニットにおける時間領域位置を直接判定してもよい。
【０１７５】
具体的には、第1の指示情報が、ジョイント符号化によって、ダウンリンクデータによって占有される時間領域位置の開始位置および時間領域終了位置、およびタイムスケジューリングユニットアグリゲーションレベルを示す場合、端末は、第1の指示情報の値に基づいて、ダウンリンクデータおよびタイムスケジューリングユニットアグリゲーションレベルによって占有される時間領域開始位置および時間領域終了位置を判定し、その結果端末がダウンリンクデータの時間領域位置を判定できる。あるいは、時間領域位置とアグリゲーションレベルを別個に示すこともできる。アグリゲーションレベルは、タイムスケジューリングユニットの量を示すことにより示されてもよいし、bitmap指示方式で示されてもよい。これは本明細書において特に限定されない。
【０１７６】
あるいは、第1の指示情報が、ジョイント符号化によって、ダウンリンクデータによって占有される時間領域位置の開始位置、ダウンリンクデータによって占有される指示ユニットの量、およびタイムスケジューリングユニットアグリゲーションレベルを示す場合、端末は、第1のフィールドの値に基づいて、ダウンリンクデータによって占有される時間領域位置の開始位置、ダウンリンクデータによって占有される指示ユニットの量、およびタイムスケジューリングユニットアグリゲーションレベルを判定し、その結果端末がダウンリンクデータの時間領域位置を判定できる。あるいは、時間領域位置とアグリゲーションレベルを別個に示すこともできる。アグリゲーションレベルは、タイムスケジューリングユニットの量を示すことにより示されてもよいし、bitmap指示方式で示されてもよい。これは本明細書において特に限定されない。
【０１７７】
代替的に、第1の指示情報が単一のタイムスケジューリングユニットに含まれる指示ユニットのbitmapを含む場合、端末は、第1の指示情報に含まれるbitmapが、その量がアグリゲーションレベルによって表される1つまたは複数のタイムスケジューリングに含まれる各タイムスケジューリングユニットにおいて使用され得ると判定してもよい。このようにして、端末は、その量がアグリゲーションレベルによって表される1つまたは複数のタイムスケジューリングユニットに含まれる各タイムスケジューリングユニットにおいてダウンリンクデータによって占有される時間領域位置を知る。時間領域位置およびアグリゲーションレベルは、ジョイント符号化によって示されてもよい。あるいは、時間領域位置とアグリゲーションレベルを別個に示すこともできる。アグリゲーションレベルは、タイムスケジューリングユニットの量を示すことにより示されてもよいし、bitmap指示方式で示されてもよい。これは本明細書において特に限定されない。
【０１７８】
代替的に、第1の指示情報が単一のタイムスケジューリングユニットに含まれるシンボルの値マップを含む場合、端末は、第1の指示情報に含まれるbitmapが、その量がアグリゲーションレベルによって表される1つまたは複数のタイムスケジューリングに含まれる各タイムスケジューリングユニットにおいて使用され得ると判定してもよい。このようにして、端末は、その量がアグリゲーションレベルによって表される1つまたは複数のタイムスケジューリングユニットに含まれる各タイムスケジューリングユニットにおいてダウンリンクデータによって占有される時間領域位置を知る。時間領域位置およびアグリゲーションレベルは、ジョイント符号化によって示されてもよい。あるいは、時間領域位置とアグリゲーションレベルを別個に示すこともできる。アグリゲーションレベルは、タイムスケジューリングユニットの量を示すことにより示されてもよいし、bitmap指示方式で示されてもよい。これは本明細書において特に限定されない。
【０１７９】
一実装では、S43の前に、基地局は、タイムスケジューリングユニットタイプを示す情報を端末にさらに送信することができる。タイムスケジューリングユニットタイプを示す情報を受信した後、端末は、タイムスケジューリングユニットタイプを示す情報および第1の指示情報の両方に基づいて、ダウンリンクデータを送信するための時間領域位置を判定し得る。具体的には、端末は、タイムスケジューリングユニットタイプを示す情報に基づいて、タイムスケジューリングユニットにおけるダウンリンクデータを送信するために使用することを許可する時間領域位置を判定し、第1の指示情報に基づいて、タイムスケジューリングユニットにおけるダウンリンクデータを送信するために基地局によってスケジュールされる時間領域位置を判定してもよい。次いで、端末は、2つの時間領域位置の交差セットを使用し、交差セットに含まれる時間領域位置をダウンリンクデータを送信するための時間領域位置として判定する。
【０１８０】
例えば、タイムスケジューリングユニットはslotである。self-containフレーム構造におけるslotは、ダウンリンク送信専用slot（ダウンリンクonly）、アップリンク送信専用slot（アップリンクonly）、およびself-contained slot（つまり、ダウンリンク送信とアップリンク送信はslotにおいて実行される）の3つのタイプを含んでもよい。self-contained slot内のアップリンクおよびダウンリンクシンボルの量は、事前に定義されていてもよいか、あるは上位層シグナリングまたは物理層シグナリングを使用して通知されてもよい。例えば、self-contained slotにはいくつかの状態があり、基地局はRRCシグナリングを使用して、self-contained slotの状態を端末に示すことができる。これらの状態は次の場合を有する。例えば、状態1は、5つのダウンリンクシンボルと2つのアップリンクシンボルがあることであり、状態2は、4つのダウンリンクシンボルと3つのアップリンクシンボルがあることであり、状態3は、4つのダウンリンクシンボルと2つのアップリンクシンボルがあることであり、状態4は、1つのダウンリンクシンボルと6つのアップリンクシンボルがあることであり、状態4は、2つのダウンリンクシンボルと6つのアップリンクシンボルがあることであり、状態5は、1つのアップリンクシンボルと6つのダウンリンクシンボルがあることであり、状態6は、2つのアップリンクシンボルと5つのダウンリンクシンボルがあることであり、状態7は、2つのアップリンクシンボルと4つのダウンリンクシンボルがあることである。スロットでは、ダウンリンクシンボルとアップリンクシンボルの順序は限定されず、事前定義を介して端末によって判定されてもよいか、またはシグナリングを使用することによって基地局によって端末に示されてもよい。
【０１８１】
具体的には、端末は、ダウンリンクデータを送信するための判定された時間領域位置として、self-contained slotでダウンリンクデータを送信するために使用できるシンボルと、第1の指示情報によって示されるシンボルとの交差セットを使用し得る。例えば、タイムスケジューリングユニットタイプを示す情報が、slot内の第1のシンボルから第5のシンボルがダウンリンク送信シンボルであることを示し、第1の指示情報が、slot内の第2から第6のシンボルがダウンリンクデータを送信するための時間領域位置であることを示す場合、端末は、slot内のダウンリンクデータの時間領域位置が第2のシンボルから第5のシンボルであると判定してもよい。
【０１８２】
タイムスケジューリングユニットタイプが示されているため、端末は、ダウンリンクデータを送信するための時間領域位置をより正確に判定でき、ダウンリンクデータを送信できない位置でダウンリンクデータをリッスンすることを防がれ、それによって端末の電力消費を削減する。
【０１８３】
あるいは、端末は、第1の指示情報を使用せずに、タイムスケジューリングユニットタイプに基づいてデータ送信用の時間領域位置を判定してもよい。これは本明細書において特に限定されない。
【０１８４】
端末は、基地局からの指示に基づいて、第1の指示情報で使用される指示ユニットを判定してもよい。例えば、基地局は、上位層シグナリングまたは物理層シグナリングなどのシグナリングを使用することにより、第1の指示情報で使用される指示ユニットを端末に示す。上位層シグナリングは、例えば、RRCシグナリングまたはMAC層シグナリングであり、物理層シグナリングは、例えば、DCIシグナリングである。
【０１８５】
例えば、基地局が端末に指示ユニットによって占有される特定のシンボル量を通知する場合、端末は、基地局からの指示に基づいて、指示ユニットによって占有されるシンボルの量を直接判定することができ、例えば、指示ユニットが2つのシンボルまたは3つのシンボルであると判定できる。
【０１８６】
あるいは、基地局が、参照される特定のフレーム構造パラメータを端末に通知する場合、端末は、基地局からの指示に基づいて、参照されるフレーム構造パラメータに対応するシンボル長が指示ユニットの長さであることを直接判定できる。例えば、基地局が端末に対して、15KHzのサブキャリア間隔が参照されることを示す場合、端末は、指示ユニットが15KHzのサブキャリア間隔に対応する1つのシンボルであると判定する。
【０１８７】
タイムスケジューリングユニットがGPを含む場合、代替として、端末はGPリソース割り当て方法を判定してもよい。GPリソース割り当て方法を判定した後、端末は、ダウンリンクデータを送信するために使用されるタイムスケジューリングユニットにおける特定のリソースをさらに判定してもよい。基地局がGPリソース割り当て方法を示す情報を端末に送信する場合、GPリソース割り当て方法を示す情報を受信した後、端末はGPリソースの割り当て方法を判定することができる。あるいは、基地局は、GPリソース割り当て方法を示す情報を端末に送信せず、端末は、所定の方法またはプロトコルで指定された方法でGPリソース割り当て方法を判定してもよい。この場合、基地局と端末は、GPリソース割り当て方法を同じ基準で判定する必要がある。GPリソース割り当て方式に含まれる内容はS41で説明されており、詳細は再び説明されない。
【０１８８】
さらに、S41でさらに説明されるように、第1のフィールドに加えて、第1の指示情報は、ダウンリンクデータの周波数領域位置を示すために使用される第2のフィールドを含み得る。この場合、第1の指示情報が第2のフィールドをさらに含む場合、端末は、第2のフィールドに基づいてダウンリンクデータの周波数領域位置を判定してもよい。したがって、端末は、第1の指示情報に基づいてダウンリンクデータの時間領域位置とダウンリンクデータの周波数領域位置の両方を判定できるため、端末は正確な位置でダウンリンクデータをリッスンすることができる。
【０１８９】
第1の指示情報が複数の第1のフィールドおよび複数の第2のフィールドを含む場合、第1のフィールドと第2のフィールドの間には1対1の対応がある。基地局は、第1フィールドと第2フィールドとの対応を端末に示すこともでき、端末は、第1フィールドが第2フィールドに対応する方法を知り、ダウンリンクデータの対応する時間周波数位置を判定することができる。
【０１９０】
さらに、基地局によるダウンリンクデータのマッピングには、特定のマッピング規則がある。マッピング規則は、マッピング中に、周波数領域マッピングが時間領域マッピングの前にダウンリンクデータに対して実行されるか、または時間領域マッピングが周波数領域マッピングの前にダウンリンクデータに対して実行されるかを示すために使用される。したがって、ダウンリンクデータを復調するために、端末はマッピング規則を知る必要がある。
【０１９１】
一例では、基地局は、ダウンリンクデータ用のマッピング規則を端末に直接示すことを選択してもよい。例えば、基地局は、マッピング規則を示すために使用される第3の指示情報を端末に送信し、したがって、端末は、第3の指示情報を受信した後、マッピング規則を知っている。
【０１９２】
あるいは、別の例では、基地局はマッピング規則を端末に特別に示す必要がなく、端末は、ダウンリンクデータに割り当てられている時間領域リソースおよび周波数領域リソースの特性に基づいてマッピング規則を判定できる。この方法が使用される場合、端末と基地局は同じ方法でマッピング規則を判定する必要がある。基地局および端末がマッピング規則を判定する方法は、S41で説明されており、詳細は再び説明されない。
【０１９３】
S44．基地局は、ダウンリンクデータを端末に送信し、端末は、判定された時間領域位置で、基地局によって送信されたダウンリンクデータを受信する。
【０１９４】
その量がアグリゲーションレベルによって表される1つまたは複数のタイムスケジューリングユニットに含まれる各タイムスケジューリングユニットにおいてダウンリンクデータの時間領域位置を判定した後、端末は正しい位置で、基地局によって送信されたダウンリンクデータをリッスンできる。
【０１９５】
確かに、第1の指示情報が第2のフィールドをさらに含む場合、ダウンリンクデータの周波数領域位置が判定される。この場合、S44で、基地局は、ダウンリンクデータを端末に送信し、端末は、判定された時間領域位置および周波数領域位置で、基地局によって送信されたダウンリンクデータを受信してもよい。
【０１９６】
図4に示される実施形態を説明するための例として、ダウンリンクデータ送信が使用されることに留意されたい。ただし、アップリンクデータ送信中、基地局はまた端末にリソースを示す必要がある。本発明の本実施形態で提供されるリソース指示方法は、アップリンクデータ送信にも適用可能であり、詳細は本明細書では説明されない。
【０１９７】
結論として、本発明の本実施形態で提供される技術的解決策によれば、ダウンリンクデータの時間周波数位置を正確に示すことができ、時間周波数位置を示すために使用されるシグナリングオーバヘッドは効果的に低減され得る。
【０１９８】
以下、添付図面を参照して、本発明の実施形態で提供される装置について説明する。
【０１９９】
図9を参照すると、本発明の実施形態は通信装置を提供する。通信装置は、受信機901およびプロセッサ902を含む。
【０２００】
プロセッサ902は、中央処理装置（central processor unit、CPU）または特定用途向け集積回路（Application Specific Integrated Circuit、ASIC）を含んでもよいか、またはプログラム実行を制御するように構成される1つまたは複数の集積回路を含んでもよいか、またはフィールドプログラマブルゲートアレイ（Field Programmable Gate Array、FPGA）を使用して開発されたハードウェア回路を含んでもよいか、またはベースバンドチップを含んでもよい。
【０２０１】
受信機901は、例えば、アンテナまたは通信インタフェースであり、外部機器と通信するように構成される。
【０２０２】
可能な実装では、通信装置は、図9にさらに示されているメモリ903をさらに含むことができる。メモリ903は必須部品ではないため、図9では破線ボックスの形で描かれ、必須部品と区別される。1つまたは複数のメモリ903があり得る。メモリ903は、読み取り専用メモリ（Read Only Memory、ROM）、ランダムアクセスメモリ（Random Access Memory、RAM）、磁気ディスクメモリなどを含むことができる。メモリ903は、タスクを実行するためにプロセッサ902によって必要とされるプログラムコードを格納するように構成されてもよく、さらにデータを格納するように構成されてもよい。
【０２０３】
受信機901およびメモリ903は、システムバス900を使用してプロセッサ902に接続されてもよく（これは図9の例として使用される）、専用接続ケーブルを使用してプロセッサ902に接続されてもよい。
【０２０４】
受信機901は、基地局から第1の指示情報を受信するように構成され、第1の指示情報は、ダウンリンクデータ送信用のリソース構成を指示するために使用され、リソース構成は、タイムスケジューリングユニットアグリゲーションレベルと、単一のタイムスケジューリングユニットにおける時間領域位置とを含み、アグリゲーションレベルは、ダウンリンクデータ送信用のリソースに含まれるタイムスケジューリングユニットの量を表す。プロセッサ902は、単一のタイムスケジューリングユニットにおける時間領域リソースは、その量がアグリゲーションレベルによって表される1つまたは複数のタイムスケジューリングユニットの各タイムスケジューリングユニットに対して有効であり、受信機901を使用することによって、ダウンリンクデータ送信を受信するように構成される。
【０２０５】
具体的には、受信機901は、図4に示される実施形態においてS42およびS44を実行するように構成され、および／または本明細書に記載される技術の別のプロセスをサポートするように構成され得る。プロセッサ902は、図4に示される実施形態においてS43を実行するように構成され、および／または本明細書に記載される技術の別のプロセスをサポートするように構成され得る。前述の方法の実施形態におけるステップのすべての関連する内容は、対応する機能モジュールの機能説明で引用され得る。詳細は本明細書では説明しない。
【０２０６】
通信装置は、別個のネットワーク要素、例えば、図4に示される実施形態の端末であってもよいか、または、通信装置は、ネットワーク要素内の機能モジュール、例えば、図4に示す実施形態の端末内の機能モジュールであってもよい。
【０２０７】
図10を参照すると、本発明の実施形態は通信装置を提供する。通信装置は、送信機1001およびプロセッサ1002を含む。
【０２０８】
プロセッサ1002は、CPUまたはASICを含むか、あるいはプログラム実行を制御するように構成された1つまたは複数の集積回路を含むか、あるいはFPGAを使用して開発されたハードウェア回路を含むか、あるいはベースバンドチップを含み得る。
【０２０９】
送信機1001は、例えば、アンテナまたは通信インタフェースであり、外部装置と通信するように構成される。
【０２１０】
可能な実装では、通信装置は、図10にさらに示されているメモリ1003をさらに含むことができる。メモリ1003は必須部品ではないため、図10では破線ボックスの形で描かれ、必須部品と区別される。1つまたは複数のメモリ1003があり得る。メモリ1003は、ROM、RAM、磁気ディスクメモリなどを含んでもよい。メモリ1003は、タスクを実行するためにプロセッサ1002によって必要とされるプログラムコードを格納するように構成されてもよく、さらにデータを格納するように構成されてもよい。
【０２１１】
送信機1001およびメモリ1003は、システムバス1000を使用してプロセッサ1002に接続されてもよく（これは図10の例として使用される）、専用接続ケーブルを使用してプロセッサ1002に接続されてもよい。
【０２１２】
送信機1001は、第1の指示情報を端末に送信するように構成され、第1の指示情報は、ダウンリンクデータ送信用のリソース構成を指示するために使用され、リソース構成は、タイムスケジューリングユニットアグリゲーションレベルと、単一のタイムスケジューリングユニットにおける時間領域位置とを含み、アグリゲーションレベルは、ダウンリンクデータ送信用のリソースに含まれるタイムスケジューリングユニットの量を表す。プロセッサ1002は、単一のタイムスケジューリングユニットにおける時間領域リソースは、その量がアグリゲーションレベルによって表される1つまたは複数のタイムスケジューリングユニットの各タイムスケジューリングユニットに対して有効であり、送信機1001を使用することによって、ダウンリンクデータを送信するように構成される。
【０２１３】
具体的には、送信機1001は、図4に示される実施形態においてS42およびS44を実行するように構成され、および／または本明細書に記載される技術の別のプロセスをサポートするように構成され得る。プロセッサ1002は、図4に示される実施形態においてS41を実行するように構成され、および／または本明細書に記載される技術の別のプロセスをサポートするように構成され得る。前述の方法の実施形態におけるステップのすべての関連する内容は、対応する機能モジュールの機能説明で引用され得る。詳細は本明細書では説明しない。
【０２１４】
通信装置は、別個のネットワーク要素、例えば、図4に示される実施形態の基地局であってもよいか、または、通信装置は、ネットワーク要素内の機能モジュール、例えば、図4に示す実施形態の基地局内の機能モジュールであってもよい。
【０２１５】
単純な実施形態において、当業者は、図9に示される実施形態で提供される通信装置および図10に示される実施形態で提供される通信装置のいずれかが、図11に示される構造を使用することによりさらに実装され得ることを考慮し得る。
【０２１６】
図11に示されるように、通信装置は、メモリ1101、プロセッサ1102、システムバス1103、および通信インタフェース1104を含み得る。プロセッサ1102、メモリ1101および通信インタフェース1104は、システムバス1103を使用して接続されている。メモリ1101は、コンピュータ実行可能命令を格納するように構成される。通信装置が動作すると、プロセッサ1102は、メモリ1101に格納されたコンピュータ実行可能命令を実行し、それにより、通信装置は、図4に示す実施形態で提供されるリソース指示方法を実行する。特定のリソース指示方法については、添付の図面の前述の説明および関連する説明を参照されたい。詳細は本明細書では再度説明されない。
【０２１７】
任意選択として、図11に示される実施形態で提供される通信装置は、FPGA、ASIC、システムオンチップ（system on chip、SoC）、CPU、ネットワークプロセッサ（network processor、NP）、デジタル信号処理回路（digital signal processor、DSP）、またはマイクロコントロールユニット（micro controller unit、MCU）であってもよいか、またはプログラマブルコントローラ（programmable logic device、PLD）または別の集積チップであってもよい。
【０２１８】
さらに、図9に示される実施形態で提供される通信装置は、別の形態で代替的に実装されてもよい。例えば、通信装置は、受信ユニットおよび処理ユニットを含む。受信ユニットは、図4に示される実施形態においてS42およびS44を実行するように構成され、および／または本明細書に記載される技術の別のプロセスをサポートするように構成され得る。処理ユニットは、図4に示される実施形態においてS43を実行するように構成され、および／または本明細書に記載される技術の別のプロセスをサポートするように構成され得る。前述の方法の実施形態におけるステップのすべての関連する内容は、対応する機能モジュールの機能説明で引用され得る。詳細は本明細書では説明しない。
【０２１９】
図10に示される実施形態で提供される通信装置は、別の形態で代替的に実装されてもよい。例えば、通信装置は送信ユニッおよび処理ユニットを含む。送信ユニットは、図4に示される実施形態においてS42およびS44を実行するように構成され、および／または本明細書に記載される技術の別のプロセスをサポートするように構成され得る。処理ユニットは、図4に示される実施形態においてS41を実行するように構成され、および／または本明細書に記載される技術の別のプロセスをサポートするように構成され得る。前述の方法の実施形態におけるステップのすべての関連する内容は、対応する機能モジュールの機能説明で引用され得る。詳細は本明細書では説明しない。
【０２２０】
本発明の実施形態で提供される通信装置は、前述のリソース指示方法を実行するように構成され得るため、通信装置によって達成され得る技術的効果については、前述の方法の実施形態を参照されたい。詳細は本明細書では説明しない。
【０２２１】
本発明の実施形態は、本発明の実施形態による方法、装置（システム）、およびコンピュータプログラム製品のフローチャートおよび／またはブロック図を参照して説明される。フローチャートにおける各プロセス、および／またはブロック図における各ブロック、およびフローチャートにおけるプロセスとブロック図におけるブロックの組み合わせを実装するためにコンピュータプログラム命令を使用できることを理解されたい。これらのコンピュータプログラム命令は、機械を生成するために、汎用コンピュータ、専用コンピュータ、組み込みプロセッサまたは任意の他のプログラム可能データ処理装置のプロセッサに提供されることができ、その結果、コンピュータまたは任意の他のプログラム可能データ処理装置によって実行される命令は、フローチャート中の1つまたは複数のプロセスおよび／またはブロック図中の1つまたは複数のブロックにおいて、特定の機能を実施するための装置を生成する。
【０２２２】
前述の実施形態のすべてまたは一部は、ソフトウェア、ハードウェア、ファームウェア、またはそれらの任意の組み合わせを使用することによって実施され得る。ソフトウェアを使用して実施形態を実施する場合、すべてまたは一部の実施形態は、コンピュータプログラム製品の形で実施することができる。コンピュータプログラム製品は、1つまたは複数のコンピュータ命令を含む。コンピュータプログラム命令がコンピュータにロードされ実行される場合、本発明の実施形態によるすべてまたは一部の手順または機能は生成される。コンピュータは、汎用コンピュータ、専用コンピュータ、コンピュータネットワーク、または別のプログラム可能装置であり得る。コンピュータ命令は、コンピュータ可読記憶媒体に記憶されてもよく、またはコンピュータ可読記憶媒体から別のコンピュータ可読記憶媒体に送信されてもよい。例えば、コンピュータ命令は、ウェブサイト、コンピュータ、サーバ、またはデータセンターから他のウェブサイト、コンピュータ、サーバ、またはデータセンターに有線（例えば、同軸ケーブル、光ファイバ、またはデジタル加入者回線（DSL））、または無線（例えば、赤外線、ラジオ、またはマイクロ波）の方法で送信されてもよい。コンピュータ可読記憶媒体は、コンピュータ、または、1つまたは複数の使用可能媒体を統合したサーバまたはデータセンターなどのデータ記憶装置にアクセス可能な、任意の使用可能な媒体であってもよい。使用可能な媒体は、磁気媒体（例えば、フロッピー（登録商標）ディスク、ハードディスク、または磁気テープ）、光学媒体（例えば、DVD）、半導体媒体（例えば、ソリッドステートディスク（Solid State Disk、SSD））などであってもよい。
【０２２３】
当然ながら、当業者は、本願の精神および範囲から逸脱することなく、本発明の実施形態に対して様々な変更および変形を行うことができる。このように、本願は、本出願の特許請求の範囲およびその同等の技術の範囲内にある限り、本発明の実施形態に対するこれらの修正および変形を包含することを意図している。
【符号の説明】
【０２２４】
900  システムバス
901  受信機
902  プロセッサ
903  メモリ
1000  システムバス
1001  送信機
1002  プロセッサ
1003  メモリ
1101  メモリ
1102  プロセッサ
1103  システムバス
1104  通信インタフェース
【図１】
2020519168.tif 000006
【図２】
2020519168.tif 000007
【図３】
2020519168.tif 000008
【図４】
2020519168.tif 000009
【図５】
2020519168.tif 000010
【図６】
2020519168.tif 000011
【図７】
2020519168.tif 000012
【図８Ａ】
2020519168.tif 000013
【図８Ｂ】
2020519168.tif 000014
【図８Ｃ】
2020519168.tif 000015
【図８Ｄ】
2020519168.tif 000016
【図９】
2020519168.tif 000017
【図１０】
2020519168.tif 000018
【図１１】
2020519168.tif 000019
【手続補正書】
【提出日】令和1年12月11日(2019.12.11)
【手続補正１】
【補正対象書類名】明細書
【補正対象項目名】００４７
【補正方法】変更
【補正の内容】
【００４７】
第10の態様によれば、通信装置が提供される。通信装置は、基地局または基地局に配置された機能モジュールであってもよい。通信装置は送信機およびプロセッサを含み、プロセッサと送信機は接続され、例えばバスを使用して接続される。プロセッサおよび送信機は、第2の態様または第2の態様の可能な設計のいずれか1つで基地局によって実行される方法を協働して実行することができる。
【手続補正２】
【補正対象書類名】明細書
【補正対象項目名】００４９
【補正方法】変更
【補正の内容】
【００４９】
第12の態様によれば、通信装置が提供される。通信装置は、基地局または基地局に配置された機能モジュールであってもよい。通信装置は送信機およびプロセッサを含み、プロセッサと送信機は接続され、例えばバスを使用して接続される。プロセッサおよび送信機は、第4の態様または第4の態様の可能な設計のいずれか1つで基地局によって実行される方法を協働して実行することができる。
【手続補正３】
【補正対象書類名】明細書
【補正対象項目名】００５６
【補正方法】変更
【補正の内容】
【００５６】
第19の態様によれば、コンピュータ記憶媒体が提供される。コンピュータ記憶媒体は、第7の態様に記載の通信装置、第11の態様に記載の通信装置、または第15の態様に記載の通信装置によって使用されるコンピュータソフトウェア命令を記憶するように構成され、端末用に第3の態様または第3の態様の可能な設計のいずれか1つにおける方法を実行するように設計されたプログラムを含む。
【手続補正４】
【補正対象書類名】明細書
【補正対象項目名】０１１６
【補正方法】変更
【補正の内容】
【０１１６】
ダウンリンクデータがすべてのタイムスケジューリングユニットで同じ時間領域位置を占有している場合、この指示方法は比較的適用可能であることが分かる。この指示方法では、すべてのタイムスケジューリングユニットにおける時間領域占有状態を別個に指示でき、シグナリングオーバヘッドは効果的に削減され得る。あるいは、シグナリングオーバヘッドを減らすために、ダウンリンクデータがアグリゲーションに参加しているタイムスケジューリングユニットにおいて異なる時間領域位置を占有している場合、基地局はすべてのタイムスケジューリングユニットにおいてダウンリンクデータによって占有される時間領域位置の交差セットを示すことを選択してもよい。例えば、タイムスケジューリングユニットはslotであり、アグリゲーションレベルは4であり、第1のslotにおいてダウンリンクデータによって占有される時間領域位置は第2のシンボルから始まり、最後から2番目のシンボルで終わり、第2のslotにおいてダウンリンクデータによって占有される時間領域位置は、第3のシンボルから始まり、最後から2番目のシンボルで終わり、第3のslotにおいてダウンリンクデータによって占有される時間領域位置は、第3のシンボルから始まり、最後から2番目のシンボルで終わり、第4のslotにおいてダウンリンクデータによって占有される時間領域位置は、第2のシンボルから始まり、最後から2番目のシンボルで終わる。この場合、1つの時間領域位置を示すために、基地局は、「starting」の値を使用してダウンリンクデータが第3のシンボルから始まることを示し、「ending」の値を使用してダウンリンクデータが最後から2番目のシンボルで終了することを示すと判定してもよい。いくつかのシンボルを破棄することにより、指示のためのシグナリングオーバヘッドを削減できる。
【手続補正５】
【補正対象書類名】明細書
【補正対象項目名】０１２３
【補正方法】変更
【補正の内容】
【０１２３】
第1の指示情報が単一のタイムスケジューリングユニットにおける時間領域位置を示すために使用される場合、第1の指示情報に含まれる時間領域位置の1つの開始位置は1つのタイムスケジューリングユニットにおけるダウンリンクデータの開始位置を示すために使用され、第1の指示情報に含まれる1つの量は、タイムスケジューリングユニットにおけるダウンリンクデータによって占有される指示ユニットの量を示すために使用される。その量が基地局によってスケジュールされたアグリゲーションレベルによって表されるタイムスケジューリングユニットの量に関係なく、各スケジュールされたタイムスケジューリングユニットにおけるダウンリンクデータの開始位置は、第1の指示情報によって示される時間領域位置の開始位置であり、各スケジュールされたタイムスケジューリングユニットにおけるダウンリンクデータによって占有される指示ユニットの量は、第1の指示情報によって示される持続時間である。例えば、タイムスケジューリングユニットがslotであり、指示ユニットがシンボルであり、1つのslotが7つのシンボルを含む場合、slot内の番号Xシンボルから送信が開始され、slot内でN個のシンボルが占有されることが示されてもよい。Xの値は0、1、2、3、4、5、または6であり、Nは7以下かつ0以上の整数である。
【手続補正６】
【補正対象書類名】明細書
【補正対象項目名】０１３１
【補正方法】変更
【補正の内容】
【０１３１】
方法3が使用される場合、第1の指示情報によって示される時間領域位置が、単一のタイムスケジューリングユニットに含まれるシンボルのbitmapを含むか、または単一のタイムスケジューリングユニットに含まれる指示ユニットのbitmapを含む場合、単一のタイムスケジューリングユニットにおける時間領域リソースは、その量がアグリゲーションレベルによって表される1つまたは複数のタイムスケジューリングユニットの各タイムスケジューリングユニットに対して有効である。時間領域位置およびアグリゲーションレベルは、ジョイント符号化によって示されてもよい。あるいは、時間領域位置とアグリゲーションレベルを別個に示すこともできる。アグリゲーションレベルは、タイムスケジューリングユニットの量を示すことにより示されてもよいし、ビットマップ指示方式で示されてもよい。これは本明細書において特に限定されない。
【手続補正７】
【補正対象書類名】明細書
【補正対象項目名】０１８０
【補正方法】変更
【補正の内容】
【０１８０】
例えば、タイムスケジューリングユニットはslotである。self-containedフレーム構造におけるslotは、ダウンリンク送信専用slot（ダウンリンクonly）、アップリンク送信専用slot（アップリンクonly）、およびself-contained slot（つまり、ダウンリンク送信とアップリンク送信はslotにおいて実行される）の3つのタイプを含んでもよい。self-contained slot内のアップリンクおよびダウンリンクシンボルの量は、事前に定義されていてもよいか、あるは上位層シグナリングまたは物理層シグナリングを使用して通知されてもよい。例えば、self-contained slotにはいくつかの状態があり、基地局はRRCシグナリングを使用して、self-contained slotの状態を端末に示すことができる。これらの状態は次の場合を有する。例えば、状態1は、5つのダウンリンクシンボルと2つのアップリンクシンボルがあることであり、状態2は、4つのダウンリンクシンボルと3つのアップリンクシンボルがあることであり、状態3は、4つのダウンリンクシンボルと2つのアップリンクシンボルがあることであり、状態4は、1つのダウンリンクシンボルと6つのアップリンクシンボルがあることであり、状態5は、2つのダウンリンクシンボルと6つのアップリンクシンボルがあることであり、状態6は、1つのアップリンクシンボルと6つのダウンリンクシンボルがあることであり、状態7は、2つのアップリンクシンボルと5つのダウンリンクシンボルがあることであり、状態8は、2つのアップリンクシンボルと4つのダウンリンクシンボルがあることである。スロットでは、ダウンリンクシンボルとアップリンクシンボルの順序は限定されず、事前定義を介して端末によって判定されてもよいか、またはシグナリングを使用することによって基地局によって端末に示されてもよい。
【手続補正８】
【補正対象書類名】特許請求の範囲
【補正対象項目名】全文
【補正方法】変更
【補正の内容】
【特許請求の範囲】
【請求項１】
通信方法であって、
基地局から第1の指示情報を受信するステップであって、前記第1の指示情報は、データ送信用のリソース構成を指示するために使用され、前記リソース構成は、単一のタイムスケジューリングユニットにおける時間領域位置を含む、ステップと、
前記第1の指示情報に基づいてデータを送信または受信するステップであって、前記単一のタイムスケジューリングユニットにおける、前記第1の指示情報によって示される前記時間領域位置は、その量がアグリゲーションレベルによって表される1つまたは複数のタイムスケジューリングユニットの各タイムスケジューリングユニットに対して有効である、ステップと
を含む方法。
【請求項２】
通信方法であって、
第1の指示情報を端末に送信するステップであって、前記第1の指示情報は、データ送信用のリソース構成を指示するために使用され、前記リソース構成は、単一のタイムスケジューリングユニットにおける時間領域位置を含む、ステップと、
データを送信または受信するステップであって、その量がアグリゲーションレベルによって表される1つまたは複数のタイムスケジューリングユニットの各タイムスケジューリングユニットにおける前記データ送信に使用される時間領域位置は、前記単一のタイムスケジューリングユニットにおける前記時間領域位置と同じである、ステップと
を含む方法。
【請求項３】
前記単一のタイムスケジューリングユニットにおける前記時間領域位置は、前記データ送信のために占有される前記時間領域位置の開始位置と、前記データ送信のために占有される指示ユニットの量とを含む、請求項1または2に記載の方法。
【請求項４】
前記アグリゲーションレベルの指示を受信するステップ
をさらに含む、請求項1または3に記載の方法。
【請求項５】
前記アグリゲーションレベルの指示を端末に送信するステップ
をさらに含む、請求項2または3に記載の方法。
【請求項６】
前記アグリゲーションレベルは、前記データ送信用のリソースに含まれるタイムスケジューリングユニットの量を表す、請求項1から5のいずれか一項に記載の方法。
【請求項７】
前記アグリゲーションレベルは、タイムスケジューリングユニットの前記量を示すことによって示される、請求項4から6のいずれか一項に記載の方法。
【請求項８】
前記時間領域位置の開始位置は、1つのタイムスケジューリングユニットにおける前記データの開始位置を示すために使用される、請求項1から7のいずれか一項に記載の方法。
【請求項９】
前記タイムスケジューリングユニットは、1つのスロットである、請求項1から8のいずれか一項に記載の方法。
【請求項１０】
前記指示ユニットは、1つのシンボルである、請求項3から9のいずれか一項に記載の方法。
【請求項１１】
前記データ送信は、ダウンリンクデータ送信またはアップリンクデータ送信である、請求項1から10のいずれか一項に記載の方法。
【請求項１２】
前記データ送信用のリソースは、2つ以上のタイムスケジューリングユニットを含む、請求項6から11のいずれか一項に記載の方法。
【請求項１３】
基地局から第1の指示情報を受信するように構成される受信機であって、前記第1の指示情報は、データ送信用のリソース構成を指示するために使用され、前記リソース構成は、単一のタイムスケジューリングユニットにおける時間領域位置を含む、受信機と、
前記第1の指示情報に基づいてデータを送信または受信するように構成されるプロセッサであって、前記単一のタイムスケジューリングユニットにおける、前記第1の指示情報によって示される前記時間領域位置は、その量がアグリゲーションレベルによって表される1つまたは複数のタイムスケジューリングユニットの各タイムスケジューリングユニットに対して有効である、プロセッサと
を含む、通信装置。
【請求項１４】
前記通信装置が、端末または端末のためのチップである、請求項13に記載の通信装置。
【請求項１５】
第1の指示情報を端末に送信するように構成される送信機であって、前記第1の指示情報は、データ送信用のリソース構成を指示するために使用され、前記リソース構成は、単一のタイムスケジューリングユニットにおける時間領域位置を含む、送信機と、
データを送信または受信するように構成されるプロセッサであって、その量がアグリゲーションレベルによって表される1つまたは複数のタイムスケジューリングユニットの各タイムスケジューリングユニットにおける前記データ送信に使用される時間領域位置は、前記単一のタイムスケジューリングユニットにおける前記時間領域位置と同じである、プロセッサと
を含む、通信装置。
【請求項１６】
前記通信装置が、基地局または基地局のためのチップである、請求項15に記載の通信装置。
【請求項１７】
通信装置であって、
メモリ、通信インタフェース、およびプロセッサを備え、
前記メモリは、コンピュータ実行可能プログラムコードを格納するように構成され、
前記プロセッサは、前記メモリおよび前記通信インタフェースに接続され、
前記メモリに格納された前記プログラムコードは命令を含み、前記プロセッサが前記命令を実行すると、前記命令は前記通信装置に請求項1から12のいずれか一項に記載の方法を実行させる、通信装置。
【請求項１８】
コンピュータ可読記憶媒体であって、前記媒体は命令を格納し、前記命令は、プロセッサによって実行されると、前記プロセッサに請求項1から12のいずれか一項に記載の方法を実行させる、コンピュータ可読記憶媒体。
【請求項１９】
コンピュータプログラムであって、前記コンピュータプログラムは命令を含み、前記命令は、プロセッサによって実行されると、前記プロセッサに請求項1から12のいずれか一項に記載の方法を実行させる、コンピュータプログラム。
【請求項２０】
プロセッサによって実行されると、前記プロセッサに請求項1から12のいずれか一項に記載の方法を実行させる、プログラム。
【請求項２１】
請求項13に記載の通信装置と、請求項15に記載の通信装置とを含む、通信システム。
【国際調査報告】
2020519168.tif 000020
2020519168.tif 000021
2020519168.tif 000022
2020519168.tif 000023